(57)【要約】【課題】生活器具に触れることなく排水横枝管の洗浄作業を行うことができるようにして、住人に対し不衛生感を与えないようにする。【解決手段】本発明に係る排水横枝管洗浄設備は、集合住宅の住居内に設置された生活器具からの排水を排水立て管３４まで導く排水横枝管３０を洗浄するための排水横枝管洗浄設備１０であって、洗浄ノズル付ホース５０を通すことができる管体であり、その先端が前記生活器具と排水横枝管３０との間の連結管２６に接続されているガイド配管４０と、ガイド配管４０の基端部４２を所定位置に固定する固定手段６２ｃとを有しており、ガイド配管４０は、洗浄ノズル付ホース５０を排水横枝管３０まで導けるように、洗浄ノズル付ホース５０に合わせて内径寸法と曲がり部分の曲率が設定されていることを特徴とする。【選択図】      図１
2005029952.tif 000002
【特許請求の範囲】
【請求項１】
集合住宅の住居内に設置された生活器具からの排水を排水立て管まで導く排水横枝管を洗浄するための設備であって、
洗浄ノズル付ホースを通すことができる管体であり、その先端が前記生活器具と前記排水横枝管との間の連結管に接続されているガイド配管と、
前記ガイド配管の基端部を所定位置に固定する固定手段とを有しており、
前記ガイド配管は、前記洗浄ノズル付ホースを前記排水横枝管まで導けるように、前記洗浄ノズル付ホースに合わせて内径寸法と曲がり部分の曲率が設定されていることを特徴とする排水管の洗浄設備。
【請求項２】
請求項１に記載された洗浄設備であって、
固定手段は、ガイド配管の基端部を生活器具の使用位置近傍に固定する構成であることを特徴とする排水管の洗浄設備。
【請求項３】
請求項１に記載された洗浄設備であって、
固定手段は、ガイド配管の基端部を集合住宅の住居内である専用部と住居外である共用部とを仕切る縦壁の貫通部に固定する構成であることを特徴とする排水管の洗浄設備。
【請求項４】
請求項１から請求項３のいずれかに記載された洗浄設備であって、
ガイド配管の基端部には、洗浄ノズル付ホースをそのガイド配管から排水横枝管およびその下流側に接続された排水管の内部まで送る送り手段が連結されていることを特徴とする排水管の洗浄設備。
【請求項５】
請求項４に記載された洗浄設備であって、
送り手段は、
洗浄ノズル付ホースを巻き取り可能なドラムと、
前記ドラムと洗浄ノズル付ホースとを収納するとともに、ガイド配管の基端部に接続される接続管を備えるハウジングと、
前記ハウジングの外側から前記ドラムを軸回りに正転あるいは逆転させる回転手段と、を有することを特徴とする排水管の洗浄設備。
【請求項６】
請求項１〜請求項５のいずれかに記載の洗浄設備であって、
洗浄ノズル付ホースに装着された洗浄ノズルは、洗浄水を前方に噴射する構成であることを特徴とする排水管の洗浄設備。
【請求項７】
排水経路の中途に介装されて、上流側と下流側の通気を遮断する排水トラップの器具排水管部に、該器具排水管部およびその下流側に接続された排水管内に洗浄ノズル付きホースを挿入するためのガイド配管を設けた排水管の洗浄設備。
【請求項８】
請求項１または７に記載した洗浄設備に用いる洗浄機であって、先端に洗浄ノズルを備えたホースと、回転して該ホースを巻き取り、繰り出すドラムと、該ドラムを密閉状態に収容するハウジングと、該ハウジング内から前記ホースが引き出される接続管と、該接続管とガイド配管を接続し、前記ホースが挿通されるフレキシブルな補助ガイド管と、前記ホースに洗浄水を供給するための洗浄水供給口を備えた洗浄機。
【請求項９】
台所流し台からの排水を排水するための排水管の洗浄装置であって、前記流し台に、台所用の小物類を収容することを目的として並設されたシンクポケットの底部に洗浄口を設ける一方、前記排水管の中途に介装された排水トラップの器具排水管部に、該器具排水管部内に洗浄ノズル付きホースを挿入するためのガイド配管を設け、該ガイド配管と前記洗浄口をフレキシブルな延長ガイド管を介して接続して、前記洗浄ノズル付きホースを前記洗浄口から進入させて、前記器具排水管部内およびその下流側に接続された排水管内を洗浄可能な構成とした排水管の洗浄設備。
【請求項１０】
請求項７記載の排水管の洗浄設備であって、ガイド配管に延長ガイド管を接続し、該延長ガイド管の基端側あるいは基端部を、住居内の専用部と住居外の共用部を仕切る縦壁に固定して、前記共用部から洗浄ノズル付きホースを前記延長ガイド管を経て前記専用部の排水経路内に進入可能な構成とした洗浄設備。
【請求項１１】
請求項７または１０に記載した洗浄設備に用いる排水トラップ。
【請求項１２】
請求項１０記載の排水管の洗浄設備であって、延長ガイド管とは別に、縦壁から排水立て管に至って専用ガイド管を配管し、該専用ガイド管を前記排水立て管を洗浄するための洗浄ノズル付きホースを共用部から進入させるためのガイド管として用いる構成とした洗浄設備。
【請求項１３】
請求項１２記載の排水管の洗浄設備に用いる排水管集合継手であって、上流側の排水立て管が接続される上部受け口と、下流側の排水立て管が接続される下部接続部と、横枝管を接続するための横枝管受け口と、専用ガイド管が接続されるガイド管受け口を備え、該ガイド管受け口は上方若しくは斜め上方若しくは横方向へ開口する構成とした排水集合管継手。
【請求項１４】
請求項１２記載の排水管の洗浄設備に用いる排水管継手であって、上流側の排水立て管が接続される上部受け口と、下流側の排水立て管が接続される下部接続部と、専用ガイド管が接続されるガイド管受け口を備え、該ガイド管受け口は上方若しくは斜め上方へ開口する構成とした排水管継手。
【請求項１５】
台所流し台や洗面台等の生活器具からの排水を排水するための排水管の洗浄装置であって、前記排水管の中途に介装された排水トラップの流入脚に、該流入脚内に洗浄ノズル付きホースを挿入するためのガイド配管を設け、該ガイド配管と前記生活器具の洗浄口を延長ガイド管により接続して、前記洗浄ノズル付きホースを前記洗浄口から進入させて、前記流入脚内および排水トラップおよびその下流側に接続された排水管内を洗浄可能な構成とした排水管の洗浄設備。
【請求項１６】
台所流し台や洗面台等の生活器具からの排水を排水するための排水管の洗浄装置であって、前記排水管の中途に介装された排水トラップの流入脚に、該流入脚内に洗浄ノズル付きホースを挿入するためのガイド配管を設け、該ガイド配管に延長ガイド管を接続し、該延長ガイド管の基端部を、建物の専用部と共用部を仕切る縦壁に固定し、該延長ガイド管の基端部から前記洗浄ノズル付きホースを進入させて、前記流入脚内および排水トラップおよびその下流側に接続された排水管内を洗浄可能な構成とした排水管の洗浄設備。
【請求項１７】
請求項１５または請求項１６に記載した洗浄設備に用いる排水トラップ。
【請求項１８】
台所流し台の排水口がランニングトラップに接続された排水経路の洗浄方法であって、前記排水口を蓋で塞いで前記台所流し台に水を貯め、然る後、前記蓋を外して貯めた水を前記排水口から流して前記排水経路の洗浄を行う排水経路の洗浄方法。
【請求項１９】
台所流し台の排水口にディスポーザが取り付けられ、該ディスポーザにランニングトラップが接続された排水経路の洗浄方法であって、前記台所流し台に前記排水口とは別に洗浄口を設け、該洗浄口と前記ランニングトラップの流入脚を接続し、前記排水口と前記洗浄口を蓋で塞いで前記台所流し台に水を貯め、然る後、前記洗浄口の蓋を外して貯めた水を前記洗浄口から流してため洗いする前記排水経路の洗浄を行う洗浄方法。
【請求項２０】
請求項１９に記載した洗浄方法に用いるランニングトラップであって、流入脚に台所流し台の洗浄口に接続するためのガイド配管を備えた排水トラップ。
【請求項２１】
台所流し台の排水口にディスポーザが取り付けられ、該ディスポーザにランニングトラップが接続された排水経路を洗浄するための装置であって、前記台所流し台に前記排水口とは別に洗浄口を備え、該洗浄口と前記ランニングトラップの流入脚を延長ガイド管を介して接続して、前記排水口と前記洗浄口を閉塞した状態で前記台所流し台に水を溜めた後前記洗浄口を開けて溜めた水を前記延長ガイド管を経て流下させることによりため洗い若しくは流し洗いを可能とするとともに、前記ランニングトラップの下流側に、洗浄ノズル付きホースを巻き取り、繰り出し可能な送り装置を接続して、排水横枝管および排水立て管を高圧洗浄可能な構成とした排水管の洗浄設備。
【請求項２２】
請求項２１に記載した洗浄設備に用いるランニングトラップであって、流入脚に台所流し台の洗浄口に接続するためのガイド配管を備えたランニングトラップ。
【請求項２３】
建物の共用部に配管された排水立て管の掃除口から高圧洗浄ノズル付きホースを排水経路内に進入させて洗浄する高圧洗浄領域と、建物の専用部に設置された台所流し台の掃除口を経て行うため洗い若しくは流し洗いにより洗浄するため洗い領域を設定し、該ため洗い領域と前記高圧洗浄領域との境界域を、前記洗浄ノズル付きホースによる高圧洗浄により排水トラップの封水深が基準値以上に保持される範囲に設定することを特徴とする排水管の洗浄方法。
【請求項２４】
排水経路に進入させる洗浄ノズル付きホースと、該洗浄ノズル付きホースを巻き取り、繰り出す巻き取りドラムと、該巻き取りドラムを回転可能に支持するフレームと、該フレームに回転可能に支持した車輪と、該フレームの後部から上方へ立ち上げ状に設けた手押しハンドルと、一端から前記洗浄ノズル付きホースを挿入し、他端側を前記排水経路の掃除口に接続して前記洗浄ノズル付きホースを前記排水経路内に案内するガイド管を備えた携帯式洗浄機。
【請求項２５】
台所流し台からの排水を排水するための排水管の洗浄設備であって、前記流し台に、台所用の小物類を収容することを目的として併設されたシンクポケットの底部に洗浄口を設ける一方、前記排水管の中途に介装された排水トラップの器具排水管部にガイド配管を設け、該ガイド配管と前記洗浄口を延長ガイド管を介して接続して、前記器具排水管部内およびその下流側に接続された排水管内をため洗い若しくは流し洗いにより洗浄可能な構成とした排水管の洗浄設備。
【請求項２６】
台所流し台からの排水を排水するための排水管の洗浄設備であって、前記排水管の中途に介装された排水トラップの下流側若しくは上流側に、上水道とは別の中水道を接続し、該中水道により給水される中水により前記排水管内を洗浄可能な構成とした排水管の洗浄設備。
【請求項２７】
請求項２６記載の洗浄設備であって、電動モータを駆動源とする吸水ポンプにより浴槽の残り湯を汲み上げ、これを中水として排水トラップの下流側若しくは上流側に給水する構成とした排水管の洗浄設備。
【請求項２８】
台所流し台からの排水を排水するための排水管の洗浄設備であって、排水トラップの下流側若しくは上流側に、枝管部を有する継手を介装し、前記枝管部に延長ガイド管の一端側を接続し、該延長ガイド管の他端側にホースカップリングのメス側接続具若しくはオス側接続具の一方を取り付けて前記台所流し台の周辺に配置する一方、中水を吸水するための吸水ポンプの吐出口に接続した給水ホースの先端に前記ホースカップリングのメス側接続具若しくはオス側接続具の他方を取り付け、前記ホースカップリングを接続して前記中水を前記排水トラップの下流側若しくは上流側に給水して排水管を洗浄する構成とした排水管の洗浄設備。
【請求項２９】
台所流し台からの排水を排水するための排水管の洗浄設備であって、排水トラップの下流側若しくは上流側に、ホースカップリングのメス側接続具若しくはオス側接続具の一方を取り付けた枝管部を有する継手を介装し、前記枝管部に、中水を吸水するための吸水ポンプの吐出口に接続され、先端に前記ホースカップリングのメス側接続具若しくはオス側接続具の他方を取り付けた給水ホースを、前記ホースカップリングを介して接続して前記中水を前記排水トラップの下流側若しくは上流側に給水して前記排水管を洗浄する構成とした排水管の洗浄設備。
【請求項３０】
台所流し台からの排水を排水するための排水管の洗浄設備であって、排水トラップの下流側若しくは上流側に、ホースカップリングのメス側接続具若しくはオス側接続具の一方を取り付けた枝管部を有する継手を着脱可能に介装し、前記枝管部に、中水を吸水するための吸水ポンプの吐出口に接続され、先端に前記ホースカップリングのメス側接続具若しくはオス側接続具の他方を取り付けた給水ホースを、前記ホースカップリングを介して接続して、前記中水を前記排水トラップの下流側若しくは上流側に給水して前記排水管を洗浄可能であるとともに、前記枝管部から前記ホースカップリングのメス側接続具若しくはオス側接続具の一方を取り外して開口される当該枝管部に洗浄ノズル付きホースを進入させて前記排水管を高圧洗浄可能な構成とした洗浄設備。
【請求項３１】
台所流し台からの排水を排水するための排水管の洗浄設備であって、排水トラップの下流側の器具排水管部に設けたガイド配管に、ホースカップリングのメス側接続具若しくはオス側接続具の一方を着脱可能に取り付け、前記ガイド配管に、中水を吸水するための吸水ポンプの吐出口に接続され、先端に前記ホースカップリングのメス側接続具若しくはオス側接続具の他方を取り付けた給水ホースを、前記ホースカップリングを介して接続して、前記中水を前記排水トラップの下流側に給水して前記排水管を洗浄可能であるとともに、前記ガイド配管から前記ホースカップリングのメス側接続具若しくはオス側接続具の一方を取り外して開口される当該ガイド配管に洗浄ノズル付きホースを進入させて前記排水管を高圧洗浄可能な構成とした洗浄設備。
【発明の詳細な説明】
【０００１】
【発明の属する技術分野】
本発明は、例えば集合住宅の各住居内、オフィスビルの各階あるいは戸建て住戸に設置された台所流し台や洗面台等の生活器具からの排水を流すための排水管であって、主として排水横枝管を洗浄する場合に好適な洗浄設備等に関する。
【０００２】
【従来の技術】
近年、マンション等の集合住宅では、各家庭の台所流し排水をその他の生活排水と分け、図７に示すように、専用の台所流し排水横枝管１０１及び台所流し排水立て管１０３を使用して排水する傾向にある。台所流し排水には、食品の油脂分が含まれるため、その油脂分の影響でその他の生活排水と比べて詰まり易いからである。特に、台所流し排水横枝管１０１は排水の流れが弱いため詰まり易く、例えば、年に２回程度の周期で洗浄が必要になる。なお、ディスポーザ付の流し台２０が備え付けられている場合には、台所流し排水横枝管１０１の洗浄周期はさらに短くなる。このため、油脂分等が付着しにくい管材が求められている。
台所流し排水横枝管１０１の洗浄は洗浄作業者により一般的に次の手順で行われる。先ず、図７に示すいわゆるワントラップと称される排水トラップ２７内のストレーナやわん状カバー（図示されていない）が流し台２０側から取り外される。次に、その流し台２０側から排水トラップ２７の底部中央から立ち上げられた溜水筒の先端から筒内を経て、連結管２３を介して台所流し排水横枝管１０１に洗浄ノズル付高圧ホースが挿入される。この状態で、洗浄ノズルから洗浄水が噴射され、さらに洗浄ノズル付高圧ホースが台所流し排水横枝管１０１の内部に押込まれることで、その台所流し排水横枝管１０１の洗浄が行われる。ここで、ワントラップ溜水底部に溜まった厨芥類を洗浄ノズルで掃除すると跳ね返ってしまうきらいがある。
【０００３】
【特許文献１】
特開２００２−１２９６１５
【特許文献２】
特開２００１−３４１７
【特許文献３】
特開２００２−１２９６１５
【特許文献４】
特開２００２−１８８１９２
【０００４】
【発明が解決しようとする課題】
上記した洗浄ノズル付高圧ホースは、詰まり成分で汚れた排水配管内を移動するホースであるため、掃除が行き届いたものであっても汚れたイメージがある。このため、洗浄ノズル付高圧ホースを流し台２０側から挿入する方法では、住人に対して非常に不衛生感を与える。
本発明は、上記した問題点に鑑みなされたものであり、本発明が解決しようとする課題は、住人に不衛生感を与えることなく排水横枝管等の洗浄を行えるようにすることである。
【０００５】
【課題を解決するための手段】
上記した課題は、各請求項の発明によって解決される。
請求項１の発明は、集合住宅の住居内に設置された生活器具からの排水を排水立て管まで導く排水横枝管を洗浄するための排水管の洗浄設備であって、洗浄ノズル付ホースを通すことができる管体であり、その先端が前記生活器具と前記排水横枝管との間の連結管に接続されているガイド配管と、前記ガイド配管の基端部を所定位置に固定する固定手段とを有しており、前記ガイド配管は、前記洗浄ノズル付ホースを前記排水横枝管およびその下流側の排水管まで導けるように、前記洗浄ノズル付ホースに合わせて内径寸法と曲がり部分の曲率が設定されていることを特徴とする。
本発明によると、所定位置に固定されたガイド配管の基端部側から洗浄ノズル付ホースを管内に挿入することにより、そのガイド配管によって洗浄ノズル付ホースを排水横枝管まで導くことができる。このため、生活器具に触れることなく排水横枝管の洗浄作業を行うことができるようになり、住人に対して不衛生感を与えることがない。
ここで、生活器具とは、台所の流し台、洗面台、風呂、洗濯機等、排水を流す全ての器具を含むものとする。
また、請求項２に示すように、固定手段によりガイド配管の基端部を生活器具の使用位置近傍に固定することで、洗浄ノズル付ホースをガイド配管に挿入する作業が容易になる。
また、請求項３に示すように、固定手段によりガイド配管の基端側あるいは基端部を集合住宅の住居内である専用部と住居外である共用部とを仕切る縦壁の貫通部に固定することで、前記共用部から洗浄ノズル付ホースをガイド配管に挿入することが可能になる。即ち、住居外から住居内の排水横枝管の洗浄が可能になる。
【０００６】
また、請求項４に示すように、洗浄ノズル付ホースをそのガイド配管から排水横枝管の内部まで送る送り手段をガイド配管の基端部に連結することにより、洗浄ノズル付ホースの送り作業がさらに容易になり、洗浄作業効率が向上する。
また、請求項５の発明によると、送り手段は、洗浄ノズル付ホースを巻き取り可能なドラムと、前記ドラムと洗浄ノズル付ホースとを収納するとともに、ガイド配管の基端部に接続される接続管を備えるハウジングと、前記ハウジングの外側から前記ドラムを軸回りに正転あるいは逆転させる回転手段とから構成されている。このため、ハウジングの外側から洗浄ノズル付ホースを排水横枝管の方向に送ったり、あるいは排水横枝管から引き抜くことが可能になり、手を汚さずに洗浄作業を行うことができる。
また、請求項６に示すように、洗浄ノズル付ホースに装着された洗浄ノズルは、洗浄水を前方に噴射する構成であるため、配管の詰まり成分を洗浄水によって排水横枝管の下流側の方向、即ち、排水立て管の方向に押し流すことができるようになる。このため、洗浄水がガイド配管の基端部側に逆流し難くなる。
請求項７記載の洗浄設備によれば、排水トラップの器具排水管部から洗浄ノズル付きホースを挿入して排水トラップ内および排水横枝管内等の洗浄を行うことができるので、台所流し台等の生活器具に触れることなく排水横枝管等の洗浄作業を行うことができるようになり、住人に対して不衛生感を与えることがない。
請求項８記載の洗浄機によれば、ドラムを回転させて洗浄ノズル付きホースを接続管から繰り出すと、この洗浄ノズル付きホースが補助ガイド管を経て連結管内および排水横枝管内へ至らせることができる。洗浄ノズルが排水横枝管等の管内に至った状態において、給水口から洗浄水を供給すると、これが洗浄ノズルから噴射されて管内の洗浄を行うことができる。
このように請求項８記載の洗浄機によれば、排水経路の中途である連結管あるいは排水トラップに設けたガイド配管に洗浄ノズル付きホースを挿入して洗浄されるので、排水器具の排水口から直接洗浄ノズル付きホースを挿入した場合のような不衛生感を与えることはない。
【０００７】
また、洗浄機の接続管と連結管とがフレキシブルな補助ガイド管により接続され、その内周側に洗浄ノズル付きホースが挿通されるので、洗浄作業によりホース等に付着した汚れが周囲に飛散することが防止される。また、洗浄ノズル付きホースを巻き取ったドラムがハウジングに密閉されているので、この点でも洗浄作業によりホース等に付着した汚れが周囲に飛散することが防止される。
また、補助ガイド管には、任意の方向に自在に曲げることができるフレキシブルな管が用いられているので、連結管あるいは排水トラップから離れた位置から曲折する経路を経て当該補助ガイド管を配管することができ、これにより洗浄作業を効率よく楽に行うことができる。
ドラムの回転は、別途付設したハンドルを利用して手動により行う構成とする他、電動モータにより回転させる電動式とすることもできる。
請求項９記載の洗浄設備によれば、流し台の排水口とは別に設けられた洗浄口から洗浄ノズル付きホースを挿入する構成であるので、流し台の排水口に洗浄ノズル付きホースを直接挿入した場合のような不衛生感を与えることがない。
シンクポケットの洗浄口は、常時にはゴム栓等で蓋をしておくことにより排水管内の臭気が放出されることを防止できる。排水管の洗浄を行う場合には、洗浄口の蓋を外した後、該洗浄口から洗浄ノズル付きホースを挿入し、十分な長さだけ当該洗浄ノズル付きホースを管内へ挿入することにより連結管、排水横枝管および排水立て管等の洗浄を行うことができる。
【０００８】
請求項１０記載の洗浄設備によれば、延長ガイド管の基端側若しくは基端部が住居の専用部と共用部を仕切る縦壁に固定（延長ガイド管を該縦壁を貫通させ、該貫通部を固定してもよい）されているので、洗浄作業に際して洗浄ノズル付きホースを共用部に固定された延長ガイド管の基端部を経て排水経路内に進入させることができるので、洗浄作業者は住居の専用部内に入り込む必要がなく、従って住人の立ち会いを必要としない。このことから洗浄作業を住人の都合に左右されることなく効率よく行うことができる。
請求項１１記載の排水トラップによれば、請求項７記載の洗浄設備に用いた場合には、ガイド配管を経て洗浄ノズル付きホースが挿入され、これにより排水トラップに接続された器具排水管および排水横枝管内等の洗浄を行うことができるので、台所流し台等の生活器具に触れることなく排水横枝管等の洗浄作業を行うことができるようになり、住人に対して不衛生感を与えることがない。また、請求項１１記載の排水トラップによれば、請求項１０記載の洗浄設備に用いた場合には、上記作用効果に加えて洗浄ノズル付きホースを住居の共用部から排水経路内に進入させることができるので、洗浄作業に際して住人の立ち会いを必要とせず、従って住人は従来の不都合から解放されるとともに、洗浄業者も洗浄作業を効率よく行うことができる。
【０００９】
請求項１２記載の洗浄設備によれば、共用部から延長ガイド管を経て排水経路内に進入させた洗浄ノズル付きホースにより、台所排水口から横枝管に至る排水経路を洗浄し、同じく共用部から専用ガイド管を経て排水経路内に進入させた洗浄ノズル付きホースにより、排水立て管内の洗浄を行うことができ、これによっても前記と同様の作用効果を得ることができる。
ここで、台所排水口から横枝管に至る排水経路内の洗浄を行う場合と、排水立て管内の洗浄を行う場合とでは、それぞれ効率よく洗浄するために、洗浄ノズル付きホースにおける洗浄ノズルの大きさ、ホースの太さ、硬度あるいは送水圧力、水量、洗浄時間等をそれぞれ独自に設定することが望ましい。このことから、台所排水口から横枝管に至る排水経路を洗浄するための洗浄ノズル付きホースを進入させるためのガイド管と、排水立て管内を洗浄するための洗浄ノズル付きホースを進入させるためのガイド管を別々に設けることにより、全排水経路を効率よく洗浄することができる。
専用ガイド管は、高層の集合住宅の場合、例えば４階層ごとに配管し、４階層ごとに共用部の洗浄口を設定することにより、排水立て管の４階層分に相当する排水経路を一度にかつ住居の専用部に入り込むことなく洗浄することができる。
【００１０】
請求項１３または１４記載の排水管継手によれば、立て管排水がガイド管受け口への逆流が防止される。請求項１３記載の排水管継手としては、横枝管受け口を複数有する例えば集合管継手を用いることができ、請求項１４記載の排水管継手としては横枝管受け口を有しない例えばアップライト管を用いることができる。
請求項１５または請求項１６記載の洗浄設備または請求項１７記載の排水トラップによれば、前記作用効果に加えて洗浄ノズル付きホースを排水トラップよりも上流側から進入させることができるので、排水トラップの洗浄をも行うことができる。
請求項１８記載の洗浄方法によれば、排水口にディスポーザを備えない台所流し台であっても、洗浄ノズル付きホース等の特別の設備を用いることなく排水経路の洗浄を行うことができるので、住人が日常生活において簡単に排水経路の洗浄を行うことができる。なお、この明細書において、「ランニングトラップ」は、いわゆるＰトラップ、Ｓトラップ、Ｕトラップ等のサイホン形の管トラップを指し、いわゆるわんトラップ等の非サイホン形の隔壁トラップを除く意味で用いている。
請求項１９記載の洗浄方法によれば、排水口にディスポーザを備えた台所流し台であっても、洗浄ノズル付きホース等の特別の設備を用いることなく排水経路の洗浄を行うことができるので、住人が日常生活において簡単に排水経路の洗浄を行うことができる。
【００１１】
請求項２０記載の排水トラップによれば、低コストかつ簡単な構成により請求項１９記載の洗浄方法を実施することができる。
請求項２１記載の洗浄設備によれば、住人が日常の生活において簡単に排水経路の洗浄作業を行うことができるとともに、住人自らが高圧洗浄を行うことができるので、排水経路の洗浄を頻繁かつ効果的に行うことができる。
請求項２２記載のランニングトラップによれば、低コストかつ簡単な構成により請求項２１記載の洗浄設備を設置することができる。
請求項２３記載の洗浄方法によれば、住人が日常の生活において簡易に行うことができるため洗い若しくは流し洗いにより、排水トラップおよび排水トラップから排水横枝管の上流端から下流側への或る距離に至る横走り排水経路について排水管の洗浄がなされる。また、排水立て管の掃除口を経て進入される洗浄ノズル付きホースにより排水立て管および排水横枝管の高圧洗浄が例えば洗浄業者により定期的に行われる。この高圧洗浄作業は、洗浄ノズル付きホースを排水トラップに必要以上に接近させないことによりこの排水トラップの封水深が基準値以上に保持される範囲において行われる。
このように、ため洗い領域と高圧洗浄領域を適切に設定することにより、排水トラップの封水深を適切に維持しながら排水経路の洗浄を効果的に行うことができるとともに、高圧洗浄作業にあたって住人の立ち会いを必要としない。
請求項２４記載の洗浄機によれば、移動台車上に洗浄ノズル付きホースの巻き取りドラムを備えているので、移動が容易であり、様々な作業現場に容易に対応することができる。このことから、建物の共用部から排水経路に洗浄ノズル付きホースを進入させて行う排水経路の高圧洗浄を簡易かつ効率よく行うことができる。
請求項２５〜２７の洗浄設備によれば、住人等により排水経路の洗浄を簡単に行うことができる。
【００１２】
請求項２８記載の洗浄設備によれば、ホースカップリングを接続するだけで、排水トラップの下流側若しくは上流側に中水を吸水して排水管を簡単に洗浄することができるとともに、洗浄設備が不要である場合には、排水管から切り離して別の場所に保管しておくことができ、この点で当該洗浄設備の使い勝手をよくすることができる。
請求項２９記載の洗浄設備によれば、既設の排水経路における排水トラップの下流側若しくは上流側に、枝管部を有する継手（例えばＹ型継手）を介装し、この枝管部にホースカップリングのメス側接続具若しくはオス側接続具の一方を取り付けておくことにより、中水を汲み上げる吸水ポンプを排水経路に簡単に接続することができ、これにより排水管を中水により簡単に洗浄できるようになる。
この構成は、この種の洗浄設備を有しない既設の排水設備に対して、例えばリフォームとして適用することにより、大きなコストアップを招くことなく最新の洗浄設備を導入することができる点で大きなメリットを有する。
なお、継手には枝管部の伸びる方向について様々な形態のものを用いることができる。例えば、枝管部が４５°上方へ伸びるもの（４５°Ｙ型継手）、直交方向へ伸びるもの（９０°Ｔ型継手）、あるいはＵ字型をなすアップライト継手を用いることができる。
請求項３０記載の洗浄設備によれば、継手の枝管部にホースカップリングのメス側接続具（若しくはオス側接続具）を取り付けておくことにより上記請求項２９記載の構成と同様の作用効果を得ることができるとともに、このメス側接続具（若しくはオス側接続具）を取り外すことにより枝管部を開口させることができ、この開口部から例えば携帯式の高圧洗浄機を利用して洗浄ノズル付きのホースを排水管内に進入させて排水管内を高圧洗浄することもできるので、排水管の汚れ具合等に合わせて様々な洗浄を行うことができる。
請求項３１記載の洗浄設備によれば、器具排水管部のガイド配管にホースカップリングのメス側接続具（若しくはオス側接続具）を取り付けておくことにより上記請求項２９記載の構成と同様の作用効果を得ることができるとともに、このメス側接続具（若しくはオス側接続具）を取り外すことによりガイド配管を開口させることができ、この開口部から例えば携帯式の高圧洗浄機を利用して洗浄ノズル付きのホースを排水管内に進入させて排水管内を高圧洗浄することもできるので、排水管の汚れ具合等に合わせて様々な洗浄を行うことができる。
【００１３】
【発明の実施の形態】
（実施形態１）
以下、図１から図４に基づいて本発明の実施形態１に係る排水横枝管洗浄設備の説明を行う。本実施形態に係る排水横枝管洗浄設備はマンション等の集合住宅における台所の流し台からの排水を排水立て管まで導く台所流し排水横枝管を洗浄するための設備である。ここで、図１は排水横枝管洗浄設備の模式図であり、図２は送り装置の斜視図等である。また、図３は排水横枝管洗浄設備の側面図、図４は排水横枝管洗浄設備の正面図である。なお、図４は流し台及びディスポーザ等を省略して記載している。
先ず、排水横枝管洗浄設備１０の説明をする前に、台所流し排水系統の説明を行う。
例えば、図３に示すように、ディスポーザ（台所の生ゴミを細かく砕いて排水管に流す装置）２２を備える流し台２０の場合、ディスポーザ２２の排水口２２ｗにはいわゆるＰトラップ（Ｕトラップ）と称される排水トラップ２４の一端（流入脚側）が接続されており、その排水トラップ２４が、例えば、エルボー２５等を介して流し台２０裏側の連結管２６に接続されている。さらに、その連結管２６の下端部が、例えば、エルボー２５等を介して台所流し排水横枝管３０の上流端に接続されている。台所流し排水横枝管３０は下流側が低くなるように若干傾斜した状態でその下流端が管継手３２を介して台所流し排水立て管３４に接続されている。
【００１４】
台所流し排水立て管３４は、各階の台所流し排水横枝管３０から流入した台所排水を排水横主管を経て排水処理槽等（図示されていない）まで導くための立て配管であり、一般的に集合住宅の住居内である専用部に設置されている。このため、台所流し排水横枝管３０の配管長は、一般的に、２ｍ〜３ｍに設定されている。なお、台所流し排水立て管３４は、一般的に、室内の化粧壁板の裏側に設置されている。
上記構成により、流し台２０から排出された台所排水は、例えばディスポーザ（ディスポーザは最近超高層集合住宅等で多く使用されるようになった）２２、排水トラップ２４、連結管２６及び台所流し排水横枝管３０を通って台所流し排水立て管３４に流入し、その台所流し排水立て管３４によって前記経路を経て、排水処理槽等に導かれる。
即ち、台所流し排水横枝管３０が本発明の排水横枝管に相当する。
台所流し排水には、前述のように、食品の油脂分が含まれるため、その油脂分が配管の内壁面に付着して管内を狭くするとともに、微生物群が繁殖し、それらが経年とともに角質化して詰まりの原因となる。特に、台所流し排水横枝管３０は、排水の流れが弱いため詰まり易く、定期的に洗浄を行う必要がある。
本実施形態に係る排水横枝管洗浄設備１０は、台所流し排水横枝管３０の洗浄を効率的に行う設備であり、次のように構成されている。
【００１５】
排水横枝管洗浄設備１０は、後記する洗浄ノズル付ホース５０を台所流し排水横枝管３０まで導くことができるガイド配管４０と、そのガイド配管４０を介して洗浄ノズル付ホース５０を台所流し排水横枝管３０まで送る送り装置６０とから構成されている。
ガイド配管４０は、洗浄ノズル付ホース５０を通すことができる配管であり、例えば図３に示すように、流し台２０の前面側から裏側の連結管２６の位置までその流し台２０の底板（図示されていない）に沿って敷設されている。そして、ガイド配管４０の先端がＴ字継手４４を介して連結管２６に接続されている。
ガイド配管４０は、洗浄ノズル付ホース５０をスムーズに通すことができるように、洗浄ノズル付ホース５０に合わせて内径寸法と曲がり部分の曲率が設定されており、さらに先端側が若干低くなるように緩やかな傾斜が設けられている。
Ｔ字継手４４（一般に「ＴＹ」とも称する）は、図３等に示すように、胴部４４ｂを備えており、その胴部４４ｂの上端と下端とにそれぞれ上受け口４４ｕと下受け口４４ｄとが形成されている。また、胴部４４ｂの側面には上向きに傾斜した横管４４ｙが設けられており、その横管４４ｙの先端に横受け口４４ｓが横方向に曲げられた状態で形成されている。
Ｔ字継手４４の上受け口４４ｕには連結管２６の上側配管２６ｕが接続され、下受け口４４ｄには連結管２６の下側配管２６ｄが接続される。また、Ｔ字継手４４の横受け口４４ｓにガイド配管４０の先端が接続される。
【００１６】
上記構成により、ガイド配管４０によってＴ字継手４４の位置まで導かれた洗浄ノズル付ホース５０は、Ｔ字継手４４の横管４４ｙによって斜め方向から連結管２６に挿入される。ここで、ガイド配管４０に対するＴ字継手４４の横管４４ｙの曲率は洗浄ノズル付ホース５０が通り易い値に設定されている。このため、洗浄ノズル付ホース５０をガイド配管４０から連結管２６にスムーズに挿入できるようになる。なお、連結管２６と台所流し排水横枝管３０との間には、所定の曲率半径を有するエルボー２５等が設けられているため、洗浄ノズル付ホース５０は前記エルボー２５により連結管２６から台所流し排水横枝管３０までスムーズに導かれる。
ガイド配管４０の基端部には、受け口４２（図１参照）が形成されており、その受け口４２に送り装置６０のハウジング６２に設けられた接続管６２ｃが挿入固定される。これによって、ガイド配管４０の基端部は送り装置６０のハウジング６２の接続管６２ｃの位置に固定される。
即ち、前記ハウジング６２の接続管６２ｃが本発明に係るガイド配管の基端部を固定する固定手段に相当し、ガイド配管４０及びＴ字継手４４の横管４４ｙが本発明のガイド配管に相当する。
洗浄ノズル付ホース５０は、図２（Ｃ）に示すように、高圧ホース５２と、その高圧ホース５２の先端に取付けられた洗浄ノズル５４とから構成されている。
高圧ホース５２は内径寸法が約４ｍｍ〜９ｍｍ程度のホースであり、その高圧ホース５２の長さ寸法は流し台２０の前面側から台所流し排水横枝管３０の下流端から立て管まで届く長さに設定されている。高圧ホース５２は、配管内に押込まれる際に先端側や中途が折れ曲がらない程度の剛性を有するものが使用される。
高圧ホース５２には、例えば、樹脂製のフレキシブルホースや金属製のフレキシブルホースが使用される。
【００１７】
洗浄ノズル５４は、前方噴射型のノズルであり、先端中央に中心噴射口５４ｍが形成されている。また、中心噴射口５４ｍの後方には複数の周囲噴射口５４ｒが斜め前方を指向した状態で放射状に形成されている。これによって、台所流し排水横枝管３０の中央を塞ぐ詰まり成分を中心噴射口５４ｍから噴射された洗浄水によって押圧除去し、台所流し排水横枝管３０の内壁面に付着した詰まり成分を周囲噴射口５４ｒから噴射された洗浄水によって取り除くことが可能になる。
送り装置６０は、洗浄ノズル付ホース５０をガイド配管４０、Ｔ字継手４４及び連結管２６の下側配管２６ｄを介して台所流し排水横枝管３０の下流端から立て管まで送る装置である。
送り装置６０は、洗浄ノズル付ホース５０を巻き取り可能なドラム６４と、洗浄ノズル付ホース５０及びドラム６４を収納するハウジング６２と、ハウジング６２の外側からドラム６４を回転させる操作ハンドル６６（回転手段）とから構成されている。この構成を備えた洗浄機ＳＣが請求項８に記載した洗浄機の一実施形態に相当する。
ドラム６４は中心軸６４ｐ（図１参照）を備えており、その中心軸６４ｐがハウジング６２の軸受け（図示されていない）によって回転可能に支持されている。ハウジング６２の外側に突出した中心軸６４ｐの一端には、操作ハンドル６６（図２（Ａ）参照）が連結されている。また、ハウジング６２の外側に突出した中心軸６４ｐの他端には、図１に示すように、回転自在なコネクタ６５ｃが取付けられており、そのコネクタ６５ｃを介して給水配管６５と洗浄ノズル付ホース５０の高圧ホース５２とが接続されている。さらに、給水配管６５は、バルブ６５ｖを介して図示されていない水道管に接続されている。
【００１８】
ハウジング６２はドラム６４の周囲を覆う密閉容器であり、図３に示すように、操作ハンドル６６が手前側となるように、流し台２０の内部前面寄りに設置されている。ハウジング６２には下側四個所（前後左右）にステー６２ｓ（図２（Ａ）参照）が設けられており、それらのステー６２ｓが流し台２０の底板（図示されていない）にボルト止めされる。なお、ボルト止めの際、ステー６２ｓと流し台２０の底板との間には、防振用のゴム６２ｂ（図２（Ｂ）参照）が挟み込まれる。
ハウジング６２の右側下部中央には、図２（Ａ）に示すように、ガイド配管４０の受け口４２に挿入される接続管６２ｃが形成されている。接続管６２ｃには、洗浄ノズル付ホース５０がドラム６４に巻き取られる際に、その先端に取付けられた洗浄ノズル５４がハウジング６２の内部に入り込まないように、ストッパ（図示されていない）が設けられている。
上記接続管６２ｃには、ガイド配管４０を直接接続することができるほか、図２（Ａ）中二点鎖線で示すようにフレキシブルな補助ガイド管５５を接続することができ、この補助ガイド管５５を介して接続管６２ｃをガイド管４０に接続することができる。
また、ハウジング６２の天井部には、ハウジングの内部洗浄用ホースが接続されるコネクタ６２ｘが取付けられている。なお、ハウジング６２は分解掃除が可能なように前面側が取り外し可能に構成されている。
【００１９】
次に、本実施形態に係る排水横枝管洗浄設備１０を使用して台所流し排水横枝管３０を洗浄する手順について説明する。
先ず、操作ハンドル６６によりドラム６４が図１中左回転させられ、洗浄ノズル付ホース５０がガイド配管４０に沿って送られる。そして、洗浄ノズル付ホース５０の先端に位置する洗浄ノズル５４がＴ字継手４４の近傍まで到達したタイミングで給水配管６５のバルブ６５ｖが開かれる。これによって、洗浄ノズル５４から洗浄水が斜め前方に噴射状に噴射される。この状態で、さらにドラム６４が図中左回転させられ、洗浄ノズル付ホース５０がガイド配管４０からＴ字継手４４、連通管２６を介して台所流し排水横枝管３０の下流端から立て管まで送られる。これによって、連通管２６の下側配管２６ｄから台所流し排水横枝管３０にかけて配管の粗洗浄が行われる。なお、給水配管６５のバルブ６５ｖを開くタイミングはドラム６４を回転させる前であっても良い。
次に、操作ハンドル６６によりドラム６４がゆっくりと図中右回転させられ、台所流し排水横枝管３０の下流端から立て管まで送られた洗浄ノズル付ホース５０がゆっくりと巻き取られる。これによって、洗浄ノズル付ホース５０の洗浄ノズル５４が台所流し排水横枝管３０の下流端から上流方向にゆっくりと移動し、その洗浄ノズル５４から斜め前方（下流方向）に放射状に噴射される洗浄水によって、台所流し排水横枝管３０の内壁面に付着した油脂分等が下流側から順番に洗い落される。洗い落された油脂分等は洗浄水と共に台所流し排水立て管３４に流される。
そして、洗浄ノズル５４がハウジング６２の接続管６２ｃの位置まで到達した段階で、洗浄が終了し、給水配管６５のバルブ６５ｖが閉じられる。
ここで、ハウジング６２は密閉容器状に形成されているため、仮に洗浄水の一部がガイド配管４０から溢れても流し台２０の内部を汚すような不具合は生じない。
また、ハウジング６２のコネクタ６２ｘに洗浄用ホースを接続して、ハウジング内に水道水（洗浄水）を流し込むことにより、洗浄ノズル付ホース５０を洗浄することができる。なお、ハウジング６２内の排水は、ガイド配管４０、Ｔ字継手４４、連結管２６を介して台所流し排水横枝管３０に流される。
【００２０】
ここで、本実施形態に係る排水横枝管洗浄設備１０によると、洗浄ノズル５４から洗浄水を斜め前方（下流方向）に放射状に噴射させながら台所流し排水横枝管３０内の洗浄を行うため、台所流し排水横枝管３０内に上流側から下流側に流れる強い気流が生じる。このため、前記気流によって排水トラップ２４（図３参照）内の封水が下流側に流され、洗浄後は排水トラップ２４内が空になる。したがって、台所流し排水横枝管３０の洗浄後は速やかに流し台２０の蛇口２１を開き、排水トラップ２４に封水を補給する必要がある。
上記したように、本実施形態に係る排水横枝管洗浄設備１０によると、流し台２０の前面側に固定されたガイド配管４０の基端部側から洗浄ノズル付ホース５０を管内に挿入することにより、洗浄ノズル付ホース５０をそのガイド配管４０によって台所流し排水横枝管３０まで導くことができる。このため、流し台２０に触れることなく台所流し排水横枝管３０の洗浄作業を行うことができるようになり、住人に対して不衛生感を与えることがない。
また、送り装置６０により、洗浄ノズル付ホース５０の送り作業がさらに容易になり、洗浄作業効率が向上する。
さらに、送り装置６０は、洗浄ノズル付ホース５０を巻き取り可能なドラム６４と、ドラム６４及び洗浄ノズル付ホース５０とを収納するハウジング６２とを備えており、ハウジング６２の外側から操作ハンドル６６によってドラム６４を軸回りに回転させる構造のため、手を汚さずに洗浄作業を行うことができる。したがって、特に洗浄作業者を頼まずに住人が自分自身で台所流し排水横枝管３０の洗浄を行うことが可能になる。
また、洗浄ノズル付ホース５０に装着された洗浄ノズル５４は、洗浄水を斜め前方に噴射する構成であるため、配管の詰まり成分を洗浄水によって台所流し排水横枝管３０の下流側の方向、即ち、台所流し排水立て管３４の方向に押し流すことができる。このため、洗浄水がガイド配管４０の基端部側に逆流し難くなる。
【００２１】
（実施形態２）
以下、図５に基づいて本発明の実施形態２に係る排水管洗浄設備の説明を行う。本実施形態２に係る排水横枝管洗浄設備７０は、ガイド配管７２の敷設位置および送り装置に対する接続位置が前記実施形態１のガイド配管４０とは異なっている。
本実施形態２に係る排水横枝管洗浄設備７０のガイド配管７２は、図５（Ａ）に示すように、ディスポーザ２２の排水口２２ｗよりも高い位置に敷設されている。ガイド配管７２は基端部７２ｍが支持部材７４によって流し台２０の前面側に固定されており、その流し台２０の奥側に向かって敷設されている。そして、ガイド配管７２の先端がエルボー７５等を介してＴ字継手７８の上受け口７８ｕに接続されている。即ち、支持部材７４が本発明の固定手段に相当する。
ガイド配管７２は、洗浄ノズル付ホース５０をスムーズに通すことができるように、その内径寸法と曲がり部分の曲率が洗浄ノズル付ホース５０に合わせて設定されており、さらに先端側が若干低くなるように緩やかな傾斜が設けられている。
また、ガイド配管７２の基端部７２ｍ側の開口は図示されていない蓋によって塞がれている。
【００２２】
上記したＴ字継手７８は、ガイド配管７２と連結管２６とを接続するとともに、流し台２０のディスポーザ２２および排水トラップ２４等と連結管２６とを接続する継手であり、胴部７８ｂの上下にそれぞれ上受け口７８ｕと下受け口７８ｄとが形成されており、胴部７８ｂの側面に横受け口７８ｓが形成されている。
そして、Ｔ字継手７８の上受け口７８ｕに前述のエルボー７５等を介してガイド配管７２の先端が接続され、下受け口７８ｄに連結管２６の上端が接続されている。また、Ｔ字継手７８の横受け口７８ｓにディスポーザ２２の排水トラップ２４が接続されている。
連結管２６の下端部は、例えば、エルボー２５等を介して台所流し排水横枝管３０の上流端に接続されている。台所流し排水横枝管３０は下流側が低くなるように若干傾斜した状態でその下流端が管継手３２を介して台所流し排水立て管３４に接続されている。
上記構成により、流し台２０から排出された台所排水は、ディスポーザ２２、排水トラップ２４、Ｔ字継手７８、連結管２６及び台所流し排水横枝管３０を通って台所流し排水立て管３４に流入し、その台所流し排水立て管３４によって前記排水処理槽等に導かれる。
なお、図示は省略されているが、この実施形態２に用いられる送り装置は、前記実施形態１における送り装置６０の接続管６２ｃの位置がハウジング６２の前面下部から上部に変更されている。すなわち、実施形態２に用いられる送り装置の接続管は、ハウジングの前面上部に設けられており、上記ガイド配管７２の基端部７２ｍの高さに合わせて実施形態１よりも高い位置に設定されている。従って、実施形態２の送り装置では洗浄ノズル付きホースがハウジングの前面上部から引き出されるようになっている。
【００２３】
次に、本実施形態に係る排水横枝管洗浄設備７０を使用して台所流し排水横枝管３０を洗浄する手順について説明する。
先ず、ガイド配管７２の基端部７２ｍに設けられた前記蓋が開かれる。次に、この基端部７２ｍに送り装置の接続管を接続して洗浄ノズル付きホース５０をガイド配管７２を経て排水経路内に送り込み、以下実施形態１で説明したように台所流し排水横枝管３０の洗浄を行う。
このように、本実施形態に係る排水横枝管洗浄設備７０によっても、流し台２０に触れることなく台所流し排水横枝管３０の洗浄作業を行うことができるようになり、住人に対して不衛生感を与えることがない。特に、本実施形態によると、連結管２６の上流側から洗浄ノズル付ホース５０を挿入できるため、台所流し排水横枝管３０のみならず連結管２６を含めた排水経路について洗浄することができる。
なお、本実施形態では、ガイド配管７２の基端部７２ｍに送り装置を接続する構成を例示したが、これを省略して基端部７２ｍを経て洗浄ノズル付きホース５０を洗浄作業者が手動で送り込むこともできる。この場合、洗浄中はガイド配管７２の基端部７２ｍ側の蓋が開かれているため、台所流し排水横枝管３０内に上流側から下流側に流れる強い気流が生じても、外気がガイド配管７２によって台所流し排水横枝管３０に供給される。このため、排水トラップ２４内の封水を下流側に吸引する力が弱くなり、洗浄後、排水トラップ２４内が空になる不具合が生じにくい。
また、排水トラップ２４内の封水を確保できるように、洗浄中にガイド配管７２の基端部７２ｍ側から送風機により空気を押込むことも可能である。
【００２４】
さらに、実施形態２では、ガイド配管７２を流し台２０の内側に敷設する例を示したが、図５（Ａ）の想像線（二点鎖線）に示すように、ガイド配管７２の基端部７２ｍを集合住宅の住居内である専用部Ｐと住居外である共用部Ｃとを仕切る縦壁Ｓの貫通部ＫＳにモルタルＭで固定することも可能である。この場合、洗浄口となるガイド配管７２の基端部７２ｍは縦壁Ｓの上端部付近に固定することが望ましい。ガイド配管７２は天井裏に沿って流し台２０の上方位置まで横方向に敷設された後、流し台２０の位置で立ち下げられる。なお、ガイド配管７２の天井裏に沿った範囲では、流し台２０側へ下る方向に適度な角度で勾配が付けられている。これにより洗浄水の洗浄口側への逆流を防止することができる。また、洗浄ノズル付きホース５０の進入方向について、ガイド配管７２はその基端部７２ｍから横枝管３０内に至る経路において立ち上がり部がないため、洗浄ノズル付きホース５０をスムーズに進入させることができる。さらに、洗浄口としての基端部７２ｍが共用部Ｃの上端部付近の高い位置に設定されていることにより、洗浄口への異物の投げ込み等のいたずらを未然に防止することができる。
そして、そのガイド配管７２の先端がＴ字継手７８の上受け口７８ｕに接続される。なお、ガイド配管７２の途中の適所にフレキシブル配管を使用することも可能である。また、ガイド配管７２は、横方向のレベルで縦壁Ｓを貫通させ、モルタル等で縦壁Ｓに固定させてもよい。これによって、ガイド配管７２の専用部側の形態は、自由に設計することができる。
即ち、前記貫通部ＫＳ及びモルタルＭ等が本発明の固定手段に相当する。
また、ガイド配管７２の基端部７２ｍを上記共用部Ｃではなく専用部Ｐの他の部位に固定する構成としてもよい。例えば、図５において二点鎖線で示したようにガイド配管７２をパイプシャフトＰ．Ｓまで延長してその基端部７２ｍをパイプシャフトＰ．Ｓを仕切る壁部Ｗに固定する構成としてもよい。壁部Ｗに固定した基端部７２ｍは洗浄口ふたＨにより塞いでおき、洗浄作業時にこの洗浄口ふたＨを取り外して、基端部７２ｍから洗浄ノズル付きホース５０を挿入することができる。さらに、同じく図５において二点鎖線に示したようにガイド配管７２の基端部７２ｍを上水道の蛇口Ｊを取り付けたカウンター部Ｆの上面に固定する構成としてもよい。この場合にも、ガイド配管７２の基端部７２ｍは洗浄口ふたＨで塞いでおき、洗浄作業時にこの洗浄口ふたＨを取り外せば洗浄ノズル付きホース５０をガイド配管７２に挿入することができる。このようにガイド配管７２の基端部７２ｍを固定する部位については、洗浄作業の効率等を考慮して任意に設定することができる。
【００２５】
このように、固定手段によりガイド配管７２の基端部７２ｍを集合住宅の住居内である専用部Ｐと住居外である共用部Ｃとを仕切る縦壁Ｓの貫通部ＫＳに固定できるため、住居外である共用部Ｃから洗浄ノズル付ホース５０をガイド配管７２に挿入することが可能になる。したがって、住居外から住居内の台所流し排水横枝管３０の洗浄が可能になるとともに、排水トラップ２４の封水も確保できる。
なお、本実施形態では、ディスポーザ２２を備える流し台２０における台所流し排水横枝管３０の洗浄設備について説明をしたが、図６に示すように、ストレーナ付のいわゆるワントラップと称される排水トラップ２７を備える流し台２０における台所流し排水横枝管３０の洗浄設備に本発明を応用することも可能である。
排水トラップ２７を備える流し台２０の場合、排水トラップ２７とエルボー２５とを接続する連結管２６の途中にＹ字継手７８を設け、そのＹ字継手７８を利用してガイド配管７２の先端を連結管２６に対して斜め上方向から接続する。ガイド配管７２の基端部７２ｍは、前述のように、専用部Ｐと共用部Ｃとを仕切る縦壁Ｓの貫通部ＫＳに固定手段により固定する。これによって、住居外から住居内の台所流し排水横枝管３０の洗浄が可能になる。
なお、実施形態１、実施形態２では、台所流し排水横枝管３０の洗浄を行う設備を例に説明を行ったが、本発明に係る排水横枝管洗浄設備によって台所流し排水横枝管３０以外の排水横枝管の洗浄を行うことも可能である。
【００２６】
次に、請求項７に記載した発明の実施形態３について説明する。前記した実施形態１，２は、排水トラップ２４と排水横枝管３０との間を接続する連結管にガイド配管４０，７２を設け、このガイド配管４０，７０を経て管内に洗浄ノズル付きホースを挿入して洗浄を行う構成となっていた。この実施形態３は、図８に示すように洗浄ノズル付きホースを挿入するためのガイド配管８４が排水トラップ８０の器具排水管８２に設けられている点で前記実施形態１，２とは異なっている。
図８に示すように本実施形態における排水トラップ８０はＵ字形のトラップ本体８１とこのトラップ本体８１の下流側端部に接続された器具排水管８２を備えている。通常、この種の排水トラップ８０は、その流通市場においてトラップ本体８１と器具排水管８２とが一体に接続された状態で取り扱われる。
トラップ本体８１の上流側端部はディスポーザ９０に接続されている。また、器具排水管８２の下流側端部は、Ｌ字形の継手（エルボ）９１を介して横枝管９２に接続されている。継手９１および横枝管９２は床下配管されている。
器具排水管８２は、その上流側端部が逆Ｕ字形に曲がっている。このため、当該排水トラップ８０は、Ｕ字形のトラップ本体８１と器具排水管８２とを合わせたその外形から通称Ｓトラップと呼ばれており、図８にはこのＳトラップが例示されている。図９には、一般的な排水トラップが単体で示されている。図９において、上記Ｓトラップが二点鎖線で示されている。これに対して、器具排水管８３がほぼ水平方向に延びる形態のいわゆるＰトラップが図中実線で示されている。ＳトラップとＰトラップの相違点は、器具排水管が下方へ延びているか水平方向へ延びているかという点にある。
なお、この明細書において、器具排水管とは、トラップ本体８１のウエア（あふれ面Ｌ）よりも下流側の管部を言うものとする。
上記器具排水管８２の逆Ｕ字形部８２ａの下流側端部であって直管部８２ｂの上流側端部に、ガイド配管８４が直管部８２ｂと同軸で上方へ延びるように設けられている。このガイド配管８４には、延長ガイド管８６（ガイド配管８４の一部と捉えることができる）が接続され、この延長ガイド管８６は図示は省略したが前記実施形態２で説明したように住居の天井裏に沿って配管され、その基端部が例えば住居内の専用部Ｐと住居外の共用部Ｃとを仕切る縦壁Ｓの貫通部ＫＳ（固定手段）に固定されている。なお、上記延長ガイド管８６は、排水立て管側へ下る方向へ適度な角度の勾配を付けて配管されている。これにより洗浄水の逆流（洗浄水が共用部Ｃ側の洗浄口から流れ出ること）を防止することができる。
【００２７】
以上説明した実施形態３の洗浄設備１１０によれば、住居外の共用部Ｃから洗浄ノズル付きホース（図８では省略されている）を延長ガイド管の基端部に挿入し、ガイド配管８４を経て連結管および排水横枝管内に進入させてこれらの管内を洗浄することができる。このことから、台所流し台の排水口から洗浄ノズル付きホースを挿入することなく排水経路の洗浄を行うことができるので、住人に不衛生感を与えることなくこの種の洗浄作業を行うことができる。しかも、延長ガイド管（ガイド配管）の基端部が住居外の共用部Ｃに固定されているので、洗浄作業者は住居内に入ることなく洗浄作業を行うことができ、従って住人が留守の場合であっても洗浄作業を行うことができる。
近年、特に集合住宅における排水管内若しくは排水管継手内（以下単に、排水管内という）の洗浄等のメンテナンスについては、次のような問題が生じている。すなわち、排水管内の洗浄作業は、通常排水管あるいは排水管継手に設けられた洗浄口の蓋を開けて洗浄ノズル付きのホースを差し入れ、洗浄ノズルから洗浄水を洗浄すべき排水管の部位等を考慮して、斜め前方または後方に噴射させながらこのホースを繰り出して排水管内の奥部へ進入させ、逆に奥部から洗浄口側へ戻すことにより行う。このため、洗浄作業を行う場合には、作業者が各住戸の専用部Ｐ内に入って上記洗浄口の蓋を開け、その場でホースを排水管内へ差し入れる必要がある。このように、洗浄作業には作業者が各住戸の専用部Ｐ内に入る必要があったため、出入り口の解錠、作業の確認あるいは防犯等の観点から通常は住人が立ち会う必要があった。
【００２８】
ところが、各階の住人はそれぞれの都合等により洗浄業者が指定した日時に立ち会うことができない場合があるため、洗浄業者は洗浄作業を効率よく行うことが困難な場合があった。従来、この問題を少しでも解消するため、居住者の共有財産である排水立て管内の洗浄については、例えば高層の集合住宅では４階層毎に洗浄作業用の洗浄口を排水経路に設けておくことにより、各階毎に洗浄作業を行うのではなく、例えば４階層毎に住居の専用部Ｐ内に入って下階側の３階層を含めた４階層分の排水経路について一度に洗浄作業を行うことがなされていたが、この場合には例えば４階層毎の住人のみが洗浄作業への立ち会いを必要とすることから他の階層の住人との間で不公平であるとの不満があった。
以上のような問題に対して上記実施形態３の洗浄設備１１０は大きな効果を発揮する。すなわち、実施形態３の洗浄設備によれば、住居の専用部外から洗浄ノズル付きホースを排水経路内に進入させて管内の洗浄を行うことができるので、洗浄作業に際して作業者が住居の専用部内に入る必要がなく、従って住人の立ち会いを全く必要としないので、いずれの居住者も洗浄のために前記立ち会いを強要される不都合から解放され、洗浄業者も洗浄作業を効率よく行うことができる。
また、この場合には、各階の共用部Ｃに洗浄作業用の洗浄口を配置しておけばよいので、各階単位で排水経路の洗浄作業を行うことにより、１箇所の洗浄口を経て４階層分の排水立て管の洗浄作業を行う場合に比して、より有利な洗浄を行うことができる。
また、洗浄設備１１０によれば、洗浄ノズル付きホースが排水トラップ８０に設けたガイド配管８４を経て排水経路内に挿入されるので、台所流し台２０にいわゆるディスポーザ（生ゴミ粉砕機）が取り付けられている場合であっても排水経路内の洗浄を効率よく行うことができる。ディスポーザが取り付けられている場合には、台所流し台２０の排水口からは洗浄ノズル付きホースを挿入することができないからである。
【００２９】
以上説明した実施形態３にも種々変更を加えて実施することができる。例えば直管部８２ｂと同軸若しくはほぼ平行に上方へ延びるガイド配管８４を例示したが、図１０に示す洗浄設備１１４のように直管部８２ｂの上部から斜め上方へ延びるようにガイド配管８５を設ける構成としてもよく、この場合にも上記と同様の効果を得ることができる。また、ガイド配管８５に延長ガイド管８６を接続する場合におけるその接続方式は任意であり、例えば図１０に示すように袋ナット８５ａを締めこむことにより延長ガイド管８６をガイド配管８５に対して水密に接続するいわゆる袋ナット接続方式とすることができる。
また、実施形態３では、ガイド配管８４（または８５）に延長ガイド管８６を接続して、延長ガイド管８６の基端部を住居の専用部Ｐと共用部Ｃを仕切る縦壁Ｓに固定する構成を例示したが、ガイド配管８４（または８５）の基端部若しくは延長ガイド管８６の基端部を台所流し台２０の下側であって洗浄作業がしやすい前面側に固定する構成としてもよい（図５参照）。さらに、この場合には、前記した送り装置６０およびドラム６４に洗浄ノズル付きホースを巻き取り繰り出し可能な洗浄機ＳＣをこのガイド配管８４（または８５）若しくは延長ガイド管８６に接続する構成としてもよい（図３参照）。この場合接続管６２ｃを延長ガイド管８６を介して、または直接ガイド配管８４（または８５）に接続することにより洗浄ノズル付きホース５０を外部に露出することなく排水経路内に挿入することができ、この点でも住人に不衛生感を持たせることがない。
【００３０】
さらに、図１１および図１２に示すように、台所流し台２０の近傍に、プラスチック容器入りの食器洗い用洗剤９５やスポンジ９６等を収納しておくための凹み部（通称シンクポケット９３）が設けられている場合があり、この場合には、このシンクポケット９３の底部に排水口９３ａとは別に洗浄口９３ｂを設け、この洗浄口９３ｂと上記排水トラップ８０のガイド配管８４（または８５、図８および図１０参照）とを例えばフレキシブルな延長ガイド管９４（上記延長ガイド管８６に相当する）により接続する構成としてもよい。なお、シンクポケットとは別に適所に凹部を設けて行ってもよい。この構成が請求項９に記載した発明の実施形態に相当する。この排水設備１１１の場合、管内の洗浄を行わない常時には洗浄口９３ｂは管内の臭気が漏れないようキャップ（図示省略）により塞いでおく。シンクポケット９３内に進入した水等は排水口９３ａから排水されて、流し台２０側の排水経路に合流される。
排水経路の管内洗浄を行う場合には、洗浄口９３ｂのキャップを外してこの洗浄口９３ｂから洗浄ノズル付きのホースを挿入する（図１１，１２では省略されている）。洗浄口９３ｂから挿入された洗浄ノズル付きホースは、フレキシブルな延長ガイド管９４およびガイド配管８４（または８５）を経て排水経路内に挿入され、これにより管内の洗浄を行うことができるので、前記と同様の作用効果を奏する。これらの構成は、前記実施形態１，２にも同様に適用できることは言うまでもない。
【００３１】
また、実施形態１，２と同様に、例示した実施形態３は台所流し台２０にディスポーザが取り付けられる場合に特に好適に用いることができるが、図１３に示すようにディスポーザを備えない排水経路における排水トラップ１１２についても同様に適用することができる。この場合でも、鋭く屈曲する排水トラップ１１２の下流側（器具排水管部）にガイド配管１１３を設けることにより排水経路内に洗浄ノズル付きホースを楽に挿入することができ、これにより住人に不衛生感を与えることなく効率よく洗浄作業を行うことができる。
また、実施形態３によれば、基端部を共用部Ｃの縦壁Ｓに固定した延長ガイド管８６（またはガイド配管８４）を天井に迂回させて（大回りさせて）、排水トラップ８０の器具排水管８２の頂部あるいは側部に接続する構成であるので、いわゆるヘッダー配管の床下の排水横枝管も洗浄可能である（大回りした掃除管）。なお、この構成であれば床下の排水横枝管どうしを合流させた場合にも同様の作用効果を得ることができる。
さらに、本願発明は、例示した排水横枝管３０の洗浄作業に特に好適に用いることができるが、その他排水立て管、排水横主管、各合流部を形成する管継ぎ手の内部の洗浄にも適用することができ、これらの場合であっても前記と同等の作用効果を奏する。
【００３２】
また、例えば図１４に示すように前記した延長ガイド管８６（７２）に加えて、立て管洗浄専用のガイド管（専用ガイド管１３０〜１３０）を並設することができる。この専用ガイド管１３０〜１３０は、例えば４階層ごとに配管されている。なお、全階層にこの専用ガイド管１３０を配管することも可能である。
各専用ガイド管１３０の一端側は、住居の専用部Ｐと共用部Ｃを区画する縦壁Ｓに固定されて、洗浄ノズル付きホース１２０を進入させる洗浄口とされている。また、各専用ガイド管１３０の他端側は住居の専用部Ｐ内において後述する排水立て管継手１４０を介して排水立て管１３１，１３２に連結されている。
この構成によれば、台所排水口から横枝管１３３に至る排水経路については、前記したように延長ガイド管８６（７２）を経て洗浄ノズル付きホース５０をこの範囲の排水経路に進入させて洗浄することができる一方、排水立て管１３１，１３２内の排水経路については、専用ガイド管１３０を経て洗浄ノズル付きホース１２０をこの範囲の排水経路に進入させて洗浄することができる。一般に、排水立て管１３１，１３２内の洗浄に用いられる洗浄ノズル付きホース１２０の洗浄ノズルは、台所排水口から横枝管１３３に至る範囲の排水経路を洗浄するための洗浄ノズル付きホース５０の洗浄ノズルよりも大型のものが用いられ、またホースもより太いものが用いられるため、台所排水口から横枝管に至って比較的屈曲部の多い排水経路をスムーズに進入させることが困難な場合がある。
さらに、排水立て管１３１，１３２内を洗浄する場合は、横枝管１３３内を洗浄する場合に比して高い送水圧力でより多くの水量を噴射させ、かつ長時間にわたって洗浄する必要がある。以上のことから、排水立て管１３１，１３２内の洗浄は、台所排水口から横枝管１３３に至る範囲の排水経路の洗浄とは別の作業として行うことが、確実かつ効率のよい洗浄作業を行う観点から望ましい。
【００３３】
このような観点から、請求項１２の実施形態として説明した上記専用ガイド管１３０によれば、排水立て管１３１，１３２の洗浄を効率よく行うことができる。すなわち、共用部Ｃの縦壁Ｓから洗浄ノズル付きホース１２０を進入させて、この洗浄ノズル付きホース１２０を専用ガイド管１３０を経て直接排水立て管１３１，１３２内に進入させることができるので、洗浄ノズル付きホース１２０を排水立て管１３１，１３２内までスムーズに進入させることができる。なお、洗浄作業時に天井での騒音を嫌うなら、専用ガイド管１３０を床下に設けるとよい。
次に、上記専用ガイド管１３０を用いる場合に好適な排水管継手１４０について説明する。図１５には、この排水管継手１４０が単独で示されている。この排水管継手１４０は、上流側の排水立て管１３１を接続するための上部受け口１４１と、下流側の排水立て管１３２に接続するための下部接続部１４２と、主として台所排水およびディスポーザ排水用の横枝管１３３を接続するための横枝管受け口１４３と、上記専用ガイド管１３０を接続するためのガイド管接続口１４４を備えている。ガイド管接続口１４４は、当該排水管継手１４０の胴部１４５の側部からＬ字形に屈曲して上方へ開口している。
ガイド管受け口１４４に接続された専用ガイド管１３０は、ガイド管受け口１４４から上方へ延びて天井裏Ｒに至り、この天井裏Ｒに沿って高い位置に配管され、共用部Ｃの縦壁Ｓの上端部付近に至っている。専用ガイド管１３０の天井裏に沿った範囲は、排水立て管側へ下る方向に適度な角度で勾配が付けられている。共用部Ｃの縦壁Ｓに固定された専用ガイド管１３０の端部が開口されて洗浄口とされている。この洗浄口は、常時は蓋Ｈにより閉塞されており、排水立て管の洗浄作業時に開けられる。このように専用ガイド管１３０を住居の天井裏Ｒに沿って比較的高い位置に配管することにより、配管の自由度を高めることができる。
また、上記専用ガイド管１３０を壁内に配管可能である場合には、図中二点鎖線で示すように専用ガイド管１３０はガイド管受け口１４４から側方へ延び、壁内の比較的低い位置（腰高さ）に沿って共用部Ｃの縦壁Ｓまで配管することもできる。縦壁Ｓに固定された専用ガイド管１３０の端部は、上記天井裏配管の場合と同様開口されて洗浄口とされ、また常時は蓋Ｈにより閉塞される。
【００３４】
このように、前記ガイド配管７２（延長ガイド管８６）とは別に、専用ガイド管１３０が配管されているので、洗浄作業では排水経路に合った洗浄ノズル付きホース５０（または１２０）を用いることにより、全排水経路を効率よく確実に洗浄することができる。すなわち、ガイド配管７２または延長ガイド管８６が住居の専用部Ｐ内から縦壁Ｓを経て共用部Ｃに至って配管されているので、このガイド配管７２または延長ガイド管８６を経ることにより洗浄作業者は、比較的小型の洗浄ノズル付きホース５０を共用部Ｃから排水経路内に進入させて横枝管１３３等の洗浄作業を行うことができる。また、専用ガイド管１３０を経ることにより洗浄作業者は、比較的大型の洗浄ノズル付きホース１２０を生活器具から排水横枝管１３３に至って比較的複雑に屈曲する排水経路を避けて直接排水立て管１３１，１３２内に進入させることができ、これにより排水立て管１３１，１３２内をも効率よく洗浄することができる。
なお、上記した排水管継手１４０に代えて、例えば図１６、図１７に示すような形態の排水管継手１６０〜１７０を用いることができる。図１６に示す排水管継手１６０は、下流側の排水立て管１３２との接続部位が上記排水管継手１４０とは異なって、コンクリートスラブＣの下面側に設定されている。
この排水管継手１６０は、上流側の立て管１３１が接続される上部受け口１６１と、下流側の立て管１３２に接続される下部接続部１６２と、横枝管（図示省略）を接続するための横枝管受け口１６３と、専用ガイド管１３０を接続するためのガイド管受け口１６４を備えている。下部接続部１６２は、コンクリートスラブＣの下面側へ突き出されており、突き出された部分で下流側の立て管１３２に接続されている。
【００３５】
また、ガイド管受け口１６４は、前記と同様上向きに開口されている。このガイド管受け口１６４に、専用ガイド管１３０が接続されている。
図１７に示す排水管継手１７０は、超高層マンション等の排水経路に好適に用いることができるもので、大径の胴部１７１と、上流側の立て管１３１を接続するための上部受け口１７２と、下流側の立て管１３２に接続される下部接続部１７３と、横枝管１３３を接続するための２箇所の横枝管受け口１７４，１７４と、専用ガイド管１３０を接続するためのガイド管受け口１７５を備えている。このガイド管受け口１７５も上方へ開口されて、上下に配管された専用ガイド管１３０の一端側が接続されている。専用ガイド管１３０の他端側は、専用部Ｐと共用部Ｃを区画する縦壁Ｓに至って常時には開口されており、立て管洗浄用の洗浄ノズル付きホース１２０を共用部Ｃから進入させることができるようになっている。
以上のような排水管継手１６０，１７０によっても、ガイド受け口１６４，１７５に接続された専用ガイド管１３０を介して洗浄ノズル付きホース１２０を共用部Ｃから排水立て管１３１，１３２内に直接進入させることができるので、排水立て管１３１，１３２内を効率よく洗浄することができる。
さらに、図１８に示すように、上記集合管継手とは異なって横枝管を接続するための横枝管受け口を備えず、Ｕ字形あるいはＹ字形に上方へ延びるガイド管受け口１８０ａのみを備えたいわゆるアップライト管１８０を各階層あるいは４階層ごとに立て管に介装するとともに、上記各ガイド管受け口１８０ａに専用ガイド管１３０を接続することによっても住人に迷惑を掛けず、かつ不公平感を与えることなく排水立て管の洗浄を効率よく行うことができる。これらのアップライト管１８０〜１８０が請求項１４に記載した排水管継手の実施形態に相当し、前記排水管継手１４０，１６０，１７０が請求項１３に記載した排水管継手の実施形態に相当する。
また、専用ガイド管１３０は天井裏Ｒに沿って配管し、あるいは専用部Ｐの壁内腰高さに沿って配管する構成の他、専用部Ｐの床下に沿って配管することもできる。図１４には、専用部Ｐの床Ｆが二点鎖線で示されている。いずれの場合にも、専用ガイド管１３０は、排水立て管側へ下る方向に適度な角度で勾配を付けて配管することが洗浄水の逆流を防止する観点から望ましい。
【００３６】
さらに、前記実施形態３において説明した洗浄設備１１４にはさらに変更を加えることができる。実施形態３では、排水トラップ８０の器具排水管８２にガイド配管８４（８５）を設けた構成を例示したが、例えば図１９に示す洗浄設備２００は、排水トラップ２０５をディスポーザ２２に接続するための流入脚２０１にガイド配管２０２を設けた点で実施形態３とは異なっている。この場合、ガイド配管２０２に延長ガイド管２０３（２０４，２０６）を接続し、この延長ガイド管２０３（２０４，２０６）およびガイド配管２０２を経て洗浄ノズル付きホースを排水トラップ２０５内（トラップ本体２０５ａ、器具排水管２０５ｂ）に進入させ、さらにはその下流側の排水経路内に進入させてこれらの洗浄を行う構成となっている。この構成によれば、前記作用効果に加えて排水トラップ２０５内の洗浄をも行うことができる。
上記延長ガイド管２０３の基端部２０３ａは、図５に示すように台所流し台２０の下方に固定してもよいし、例えば図２０に示すようにシンクポケット９３の洗浄口９３ｂに接続してもよい。後者の場合には、フレキシブルで比較的短い延長ガイド管２０３を用いることができる（図１２参照）。この洗浄設備２００によれば、洗浄口９３ｂの目皿を外してこの洗浄口９３ｂから洗浄ノズル付きホースを挿入することにより、この洗浄ノズル付きホースを延長ガイド管２０３およびガイド配管２０２を経て排水経路内に進入させることができる。この構成が請求項１５に記載した発明の一実施形態に相当する。なお、この場合、排水トラップの曲率２０５Ｒを大きくして洗浄ノズルが通過し易いようにしてもよい。
従来、台所流し台の下側にディスポーザおよび排水トラップが設備された、その下流側の排水横枝管を洗浄ノズルおよびホースを通して洗浄作業を行う場合には、排水トラップを取り外して行うことができるが、作業に手間がかかり周辺が汚れるきらいがあった。
【００３７】
また、上記延長ガイド管２０３に代えてより長い延長ガイド管２０４を用いることによりその基端部２０４ａを、上記シンクポケット９３ではなく例えば図２０において二点鎖線で示すように建物の専用部Ｐと共用部Ｃを仕切る縦壁Ｓの貫通部ＫＳに固定することができる。この構成が請求項１６に記載した発明の一実施形態に相当する。この場合には、延長ガイド管２０４を流し台２０の上方において天井に沿って横方向に敷設した後、水道の蛇口Ｊを取り付けたカウンター部Ｆに沿って立ち下げる経路を採用することができる。なお、延長ガイド管２０４の天井裏に沿った範囲では、ガイド配管２０２側へ下る方向に適度な角度で勾配を付けることにより洗浄水の洗浄口側への逆流を防止することができる。また、洗浄口としての基端部２０４ａを縦壁Ｓの上端部付近の高い位置に設定することにより、洗浄口への異物の投げ込み等のいたずらを未然に防止することができる。これらの点は、前記例示した実施形態と同様である。
さらに、同じく図２０において二点鎖線で示したように延長ガイド管２０６の基端部２０６ａをパイプシャフトＰ．Ｓを仕切る縦壁Ｗに固定する構成、あるいは延長ガイド管２０７の基端部２０７ａを水道の蛇口Ｊを取り付けたカウンター部Ｆの上面に固定する構成としてもよい。これらの構成によっても、洗浄ノズル付きホースが流入脚２０１に設けたガイド配管２０２から排水経路内に挿入されるので、連結管２０８および横枝管２０９のみならず排水トラップ２０５の洗浄作業をも併せて行うことができる。
なお、図２０に示すように排水トラップ２０５の器具排水管２０５ｂの下流側には、連結管２０８を介して横枝管２０９が接続されている。この横枝管２０９が管継ぎ手２１０を介して排水立て管２１１に接続されている。ここで、排水トラップの形態が図２０に示すようにＰトラップ（Ｕトラップ）ではなくてＳトラップである場合（図８、図１０参照）にもその流入脚にガイド配管を設けることにより同様の作用効果を得ることは言うまでもない。また、洗浄口９３ｂは排水トラップより上流側に在るので防臭用のキャップ（ゴム栓）は不要であり、単に目皿を置いておけば足りる。さらに、排水トラップは樹脂製のものであっても、黄銅製や鋳鉄製のものであってもよい。
【００３８】
以上例示した実施形態には次のようなユニークなメリットがある。そのメリットとは、居住者自身が蛇口Ｊの吐水口ＪＫに短い蛇腹管やホース等を仮に接続し、その先端を洗浄口９３ｂに向けて勢いよく放水（流し洗い）することによっても、排水管内を便宜的に或る程度洗浄することができることである。
また、図示は省略したが、図２０に示すガイド配管２０２に延長ガイド管２０３を直接接続するのではなく、例えば図２１に示すように分岐管２２０を接続することにより、一層多様な洗浄作業を行うことができるようになる。分岐管２２０の第１横受け口２２０ｂにはガイド配管７２が接続され、その基端部７２ｍはブラケット２２１を介して流し台２０の下側に固定されている。また、分岐管２２０の第２横受け口２２０ｃには延長ガイド管２０４（２０６，２０７）が接続されている。延長ガイド管２０４の基端部は前記例示したように縦壁Ｓの上部に固定され、延長ガイド管２０６の基端部はパイプシャフトＰ．Ｓを仕切る縦壁Ｗに固定され、延長ガイド管２０７の基端部はカウンター部Ｆの上面に固定されている。また、分岐管２２０の上受け口２２０ａには上記延長ガイド管２０３を接続し、その基端部２０３ａをシンクポケット９３の洗浄口９３ｂに接続する構成とすることができる。このような構成を用いることによって既述した実施形態により得られる利便性をすべて兼ね備えた洗浄設備とすることができる。なお、分岐管には、便宜的に図示した３つの受け口２２０ａ，２２０ｂ，２２０ｃを有するものでなく洗浄ノズルを所定の経路に通すために普通のＴ字形分岐管やＹ字形分岐管が用いられる。
また、例えば図２４に示すように上記カウンター部Ｆの上面に設けた掃除口２７１に立ち下がり連結管部２７０に接続し、その下流側端部を排水トラップ２０５の下流側に設けた連結管部２７２に接続して、上記掃除口２７１を排水立て管専用洗浄口として併設してもよい。これによって、排水経路の曲がりの数および距離が少なくなり、立て管２１１単独洗浄用の太いノズルおよびホースを通すことができる。
【００３９】
次に、台所流し台にディスポーザが設備されていない場合であって、いわゆるため洗いにより排水管（排水経路）の洗浄を行う場合について説明する。この場合、図２２に示すように台所流し台２０の底部の排水口には、図６および図７に示したワントラップ形の排水トラップ２７ではなく、凹部２５０を設け、この凹部２５０に生ゴミ貯留用のバスケット２５１を収容し、凹部２５０の底部に設けた接続口２５０ａにフレキシブルな延長ガイド管２５２の一端側（上流側）を接続し、この延長ガイド管２５２の他端側（下流側）をＰトラップ（またはＳトラップ、Ｕトラップ）２５３の流入脚に接続し、上記凹部２５０の接続口２５０ａには排水の流れを遮断するゴム栓（図示省略）を取り付け可能な構成とする。
この構成によれば、凹部２５０からバスケット２５１を取り外して凹部２５０の接続口２５０ａにゴム栓をすることにより流し台２０に適当量の水を貯め、然る後ゴム栓を引き抜いて貯めた水を一気に流すことにより延長ガイド管２５２以下の排水経路の洗浄を行うことができる。この場合、前記した洗浄ノズル付きホースを必要としないため、住人自身が日常の生活において排水経路の洗浄を簡単に行うことができる。この洗浄方法が請求項１８に記載した発明の一実施形態に相当する。
また、図２３には台所流し台にディスポーザが設備されている場合において、上記ため洗いを行う場合が示されている。この場合、台所流し台２０の底部には、ディスポーザ２６０を取り付けた排水口２６１と、フレキシブルな延長ガイド管２６２を接続した洗浄口２６３が設けられている。延長ガイド管２６２は排水トラップ２６６の流入脚２６６ａ側に接続されている。また、排水口２６１および洗浄口２６３にはそれぞれ排水の流れを遮断するゴム栓２６４，２６５を取り付けることができる。ディスポーザ２６０の下流側接続口２６０ａには、排水トラップ２６６の流入脚２６６ａが接続されている。
【００４０】
この構成によれば、排水口２６１をゴム栓２６４により塞ぎ、洗浄口２６３をゴム栓２６５により塞ぎ、この状態で水道の蛇口（図示省略）から水を流して、流し台２０に適当量の水を貯める。然る後、洗浄口２６３側のゴム栓２６５のみを外して、貯めた水を延長ガイド管２６２を経て排水経路に一気に流すことにより、ディスポーザ付き流し台２０においても排水経路のため洗いを行うことができる。洗い桶に水を溜めて流してもよい。日常、ディスポーザによって粉砕された生ゴミの搬送用給水量が不足しがちな場合には、排水管保守のための効果が見込める。この洗浄方法が請求項１９に記載した発明の一実施形態に相当する。
上記ため洗い用の洗浄口２６３には、常時にはいわゆる目皿が取り付けられて排水口として使用される。また、言うまでもなくゴム栓２６４はため洗い時にのみ排水口２６１に取り付けられる。ゴム栓は常時取り付けておいてもよい。
また、図２２において凹部２５０からバスケット２５１を取り外し、かつ接続口２５０ａに蓋をしない状態で蛇口Ｊの吐出口ＪＫ（蛇腹管等を仮に取り付けてもよい）を接続口２５０ａに向けて水を噴射することより、あるいは図２３においてゴム栓２６５を外した状態の洗浄口２６３に向けて水を噴射することにより排水経路の洗浄を簡易的に行うことができる。また、これらの洗浄方法（流し洗い）によっても住人に不衛生感を与えることなく排水経路の洗浄を行うことができる。
さらに、上記ため洗いまたは流し洗いによる洗浄方法によれば、集合住宅の台所流しの排水管の内面に油脂分等が付着して経年とともに角質化しスライムとなって管径が狭小化する問題を住人の日常生活の中で予防的に処理することができるようになる。
また、従来ディスポーザの下流側の排水管はため洗いの水を流しても、ディスポーザ内部を通過する際の抵抗を受けて排水管内面の洗浄効果が大幅に低下してしまうきらいがあったが、上記例示した排水管洗浄方法を採用することにより排水管の洗浄を効率よく行うことができる。しかしながら、上記例示した排水管洗浄方法（ため洗い、流し洗い）を複数の住戸において同時に行った場合には、ため洗い用あるいは流し洗い用の洗浄口９３ｂ（接続口２５０ａ，洗浄口２６３）からの排水がディスポーザを通過することなく前記した経路を経て流されるため、排水立て管内の流量が過負荷となって過大負圧が発生し、その結果排水トラップの封水切れが起こるおそれがある。そこで、排水立て管の規準の設計法に基づいた管径（例えば１００Ａ）のワンサイズアップした管径（例えば１２５Ａ）のものとすることによって上記封水切れを防止するようにするとともに、経年とともにスライムが付着して管径が狭小化しても排水立て管の寿命を延長させる可能性も期待できる。
【００４１】
また、図２５には、ため洗い方式若しくは流し洗い方式と洗浄ノズル付きホース５０を用いた高圧洗浄方式を併用した洗浄設備３００が示されている。この洗浄設備３００は、排水口２６１にディスポーザ２６０が取り付けられた台所流し台２０に好適に用いることができる。台所流し台２０には排水口２６１とは別に洗浄口２６３が設けられ、それぞれ蓋２６４，２６５により水密に塞ぐことができる。洗浄口２６３は、延長ガイド管２６２を介してランニングトラップ２６６の流入脚２６６ａに接続されている。この構成により、上記例示したため洗い若しくは流し洗いを行うことができる。このため洗い若しくは流し洗いによれば、ランニングトラップ２６６から排水横枝管３０に至る排水経路の洗浄を行うことができる。
この洗浄設備３００は、洗浄ノズル５４を有するホース５０を巻き取り、繰り出し可能な送り装置６０を備えている。この送り装置６０は、ガイド配管４０およびＴ字継ぎ手４４を介して排水横枝管３０の上流側に接続されている。送り装置６０から繰り出されたホース５０は、ガイド配管４０およびＴ字継ぎ手４４内を経て排水横枝管３０および排水立て管３４内に進入され、これにより排水横枝管３０内および排水立て管３４内を高圧洗浄することができる。送り装置６０は電動モータを駆動源として回転する電動ドラムを備えており、スイッチ操作でホース５０を巻き取り、繰り出しすることができ、また洗浄ノズル５４から洗浄水を自動で噴射、停止できる全自動式となっている。このため、この洗浄設備３００を用いることにより、老人等であっても排水経路の洗浄作業を簡単に行うことができ、これにより排水経路の洗浄を専門の業者に委託することなく日常生活において住人が頻繁に行うことができるので、排水のスムーズな流れを常時維持することができる。
【００４２】
上記送り装置６０は、台所流し台２０の下側に固定する固定式のものを例示したが（図１〜図４）、これに代えて例えば図２７に示すような移動式の送り装置（携帯式の高圧洗浄機４００）を用いることもできる。この携帯式の高圧洗浄機４００は、洗浄ノズル付きホース５０を案内するためのフレキシブルなガイド管４０４と、洗浄ノズル付きホース５０を巻き取り、繰り出すための巻き取りドラム４０１と、これを回転可能に支持するフレーム４０２と、このフレーム４０２の前部に回転可能に取り付けた一つの前輪４０３と後部に回転可能に取り付けた二つの後輪４０５，４０５と、フレーム４０２の後部から上方へ延びるように設けた手押しハンドル４０６を備えている。巻き取りドラム４０１は、上記例示したように電動式のものとする他、手動式の巻き取りドラムとしてもよい。また、この巻き取りドラム４０１は、ケース４０７とフレーム４０２に内装されている。フレームの前面には、ノズル付きホース５０に洗浄水を給水するための給水口４０８が設けられている。
ガイド管４０４の一端側４０４ａは、手押しハンドル４０６の上部に紐で縛り付けられて固定されている。このガイド管４０４の一端側４０４ａから洗浄ノズル付きホース５０を進入させる。一方、ガイド管４０４の他端側４０４ｂは、例えば図２６に示す共用部Ｃの排水立て管３４に接続された台所流し排水系統の掃除口付き継ぎ手３５の掃除口３５ａに接続されている。この構成の洗浄機４００が、請求項２４に記載した発明の実施形態に該当する。
このガイド管４０４を経て洗浄ノズル付きホース５０を共用部Ｃ側から排水経路内に進入させる。この洗浄ノズル付きホース５０の進入範囲は、後述するように排水トラップよりも適当距離だけ下流側の範囲（高圧洗浄領域）とすることが望ましい。
このような携帯式の高圧洗浄機４００によれば、超高層ビルやマンション等の高層階であっても排水経路の洗浄を効率よく行うことができる。
【００４３】
次に、排水管の洗浄方法の一つとして、いわゆるステイション方式を採用することができる。このステイション方式は、集合住宅の最下階から４層ピッチごとのエレベータ近傍に２００Ｖ電源用のコンセントおよび給水栓、排水口を設け、電力駆動ミニジェット洗浄機を用いて共用部排水立て管および住戸内排水横枝管を洗浄する方式となっている。
上記ステイション方式を各層ピッチとすることによって、共用部の排水立て管に設けられた継手部から各住戸内排水横枝管を洗浄する設備とした場合に住人が日常生活の中でため洗いあるいは流し洗いを実行していれば、高圧洗浄に際して排水トラップの封水が吸い取られる程、洗浄ノズルを近づける必要がないため、それに適応した洗浄を行うことによって住人が留守にしても差し支えがなくなるので、別途封水補給設備を省略することができる。
すなわち、空気調和・衛生工学会規格（ＨＡＳＳ２０６−２０００）に準拠して排水トラップの封水深は一般に市販されているものであれば５０ｍｍであり、この場合は封水損失が２５ｍｍ以下であるように設備されるのであるが、建物の共用部に配管された排水立て管の掃除口から排水横枝管の排水経路内に洗浄ノズル付きホースを進入させ、これを排水トラップの近くまで進入させて高圧洗浄を行うと、封水が吸い取られてしまい、その結果排水管内の臭気が室内に漏れるおそれがある。このことから、洗浄ノズル付きホースの進入範囲（最大進入距離）を、上記封水損失が２５ｍｍ以下に保たれる範囲（封水が吸い取られない範囲、以下「高圧洗浄領域」という）に限定して必要以上に排水トラップの近傍にまで進入させないようにすることが必要となる。この洗浄方法が図２６に示されている。
この洗浄方法の場合、高圧洗浄領域よりも上流側（以下、「ため洗い領域」という）の洗浄は、前記例示したため洗いあるいは流し洗いによることができる。図２６において符号Ｘは上記高圧洗浄領域とため洗い領域の境界を示している。境界Ｘは、排水トラップから極力下流側であることが望ましいが、ため洗い等により管内洗浄効果が顕著な範囲をため洗い領域に設定することが望ましい。この洗浄方法が、請求項２３に記載した発明の実施形態に該当する。
【００４４】
また、ディスポーザからの排水は排水立て管内で生ゴミが水よりも先に落下し、脚部継手の曲がりの末端近傍で堰状に堆積するが、後から流下してきた水によって横主管の下流側へ搬送されてゆく。しかし、玉子の殻等が若干残留する問題があることが、実験の結果判っている。現状はディスポーザの排水は単独で排水処理槽に導入されるが、上記の問題に鑑み汚水を除く雑排水、特に浴槽の排水をディスポーザ系統の排水立て管の集合管継手に合流させれば生ゴミの搬送性向上のみならず油脂分の付着も少なくなるメリットが考えられる。
【００４５】
次に、前記した実施形態３にさらに変更を加えた排水設備５００について説明する。この排水設備５００が請求項２５に記載した発明の実施形態に相当する。図１１および図１２に示した実施形態３に係る排水設備１１０は、台所流し台２０に併設されたシンクポケット９３の底部に排水口９３ａとは別に洗浄口９３ｂを設ける一方、排水トラップ８０の器具排水管８２にガイド配管８４（８５）を設けて、このガイド配管８４（８５）とシンクポケット９３の洗浄口９３ｂをフレキシブルな延長ガイド管９４を介して接続した構成としたもので、この排水設備１１０によれば、シンクポケット９３の洗浄口９３ｂから洗浄ノズル付きホースを進入させることにより、住人に不衛生感を与えることなく排水経路を効率よく洗浄することができる。
以下説明する排水設備５００は、図２８に示すように排水トラップ５０１の器具排水管部５０２にＹ型継手５０３を接続し、このＹ型継手５０３の枝管部５０３ａと、シンクポケット５０５の洗浄口を延長ガイド管５０６により接続した構成となっている。
排水トラップ５０１は、台所流し台５１０に装備したディスポーザ５１１の排水口５１１ａに袋ナット５２１を介して水密に接続されている。また、排水トラップ５０１の下流側に器具排水管部５０２が袋ナット５２２を介して水密に接続されている。さらに、器具排水管部５０２の下流側にＹ型継手５０３が袋ナット５２３を介して水密に接続されている。このＹ型継手５０３の枝管部５０３ａに延長ガイド管５０６の一端が接続されている。この延長ガイド管５０６の他端は、シンクポケット５０５の洗浄口に接続されている。また、延長ガイド管５０６には、フレキシブルホースが用いられている。
一方、シンクポケット５０５の洗浄口は、洗浄を行わない通常時には図示省略した蓋により気密に塞がれている。
このように構成したシンクポケット式の洗浄設備５００によれば、シンクポケット５０５の洗浄口の蓋を外して、上水道の蛇口Ｊから水を流すことにより流し洗いすることができる。また、洗浄口の蓋を閉じた状態でシンクポケット５０５に一定量の水を張り、然る後蓋を取り外すことによりため洗いを行うことができる。このため洗いまたは上記流し洗いによって、Ｙ型継手５０３よりも下流側の排水経路の洗浄を住人等により簡単に行うことができる。
また、袋ナット５２１，５２２を緩めれば排水トラップ５０１を簡単に取り外すことができ、これにより排水トラップ５０１を単独で念入りに洗浄することができる。排水トラップ５０１は、簡単に取り外すことができるので、頻繁にその汚れ具合を確認することができる。このため、この排水トラップ５０１に透明管を用いる必要がない。以上説明したシンクポケット式の洗浄設備５００が、請求項２５に記載した発明の実施形態に相当する。なお、Ｙ型継手５０３には、枝管部５０３ａが４５°上方へ伸びるものの他に、直交方向へ伸びる９０°Ｔ型継手、あるいは枝管部がＵ字型をなし上方へ伸びるものを用いることができる。
【００４６】
次に、図２９には、上記流し洗い方式、ため洗い方式の洗浄設備５００に変更を加えた洗浄設備５５０が示されている。この洗浄設備５５０は、延長ガイド管５０６の他端側がシンクポケット５０５の洗浄口ではなく中水道に接続されている点で異なっている。洗浄設備５００と同じ部材、構成については同位の符号を用いてその説明を省略する。
この延長ガイド管５０６は、中水道の給水経路を構成する給水管５５１に開閉バルブ５５２を介して接続されている。
開閉バルブ５５２は、開閉操作するための回転式のノブ５５２ａを備えており、図示するように台所流し台５１０の周囲であって、住人が容易に開閉操作できる部位に設置されている。
なお、一般に「中水」は、例えば雨水や風呂の残り湯等の使用済みの水を溜め置きしたもので、後日トイレや噴水等必要に応じて再利用することにより、水資源の有効活用を図るもので、飲み水等に用いる上水道とは全く別経路の配管により供給される。この明細書において「中水」には、上記使用済みの水の他に、上水道の蛇口から一旦流し出された上水をそのまま溜め置いたもの（いわゆる非直結上水）も含むものとする。
【００４７】
以上説明した中水式の洗浄設備５５０によれば、排水経路の洗浄を行う場合に、住人が開閉バルブ５５２のノブ５５２ａを開くと、延長ガイド管５０６を介して排水経路に中水が給水され洗浄されるので、住人等であっても室内に異臭等を放つことなく排水経路の洗浄を簡単に行うことができる。この中水式の洗浄設備５５０が、請求項２６に記載した発明の実施形態に相当する。
また、上水道に直結した配管経路を経て洗浄水を供給するのではなく、非直結上水（中水）を用いて洗浄する構成であるので、いわゆるクロスコネクションに当たらない。
この洗浄設備５５０には、さらに変更を加えることができる。例えば、図２９中において二点鎖線で示すようにディスポーザ５１１の排水口５１１ａにガイド配管５１１ｂを分岐して設け、このガイド配管５１１ｂに延長ガイド管５０６の一端を水密に接続して、中水を排水トラップ５０１の上流側から供給して洗浄を行う構成としてもよい。
【００４８】
次に、中水を利用した流し洗い式の洗浄設備であって、上記洗浄設備５５０とはさらに異なる別形態の洗浄設備６００について説明する。上記洗浄設備５５０が排水経路に対して常時設置された常設型設備であったが、以下説明する洗浄設備６００は、洗浄作業時にのみ排水経路に接続する非常設型の洗浄設備となっている。図３０にこの洗浄設備６００の概要が示されている。この洗浄設備６００は、中水として風呂の残り湯を利用する構成となっている。
図３０に示すように、中水道を構成する給水管５５１は、吸水ポンプ５６０の吐出口５６１に接続した給水ホース５６５に接続されている。この吸水ポンプ５６０は、携帯型のインバータポンプで、インバータモータＭにより作動するポンプ本体Ｐを備えている。このインバータモータＭは、通常の家庭用電源（１００Ｖ）で作動する。この吸水ポンプ５６０の給水口５６２には、一端側を浴槽５６４の残り湯に浸した吸水ホース５６３の他端側が水密に接続されている。
【００４９】
このように構成した洗浄設備６００によれば、開閉バルブ５５２を開けた状態で吸水ポンプ５６０を作動させると、浴槽５６４の残り湯（中水）が吸水ホース５６３、給水ホース５６５、開閉バルブ５５２および延長ガイド管５０６を経て排水トラップ５０１の下流側に供給され、これにより住人等により排水経路の洗浄を簡単に行うことができる。また、吸水ポンプ５６０の給水ホース５６５を開閉バルブ５５２に接続する構成であるので、排水管内の臭気等を防ぐことができる。
給水ホース５６５の開閉バルブ５５２に対する接続をホースカップリング（ワンタッチ閉開式メス・オスジョイント）を用いることにより、当該給水ホース５６５を開閉バルブ５５２に対して簡単に接続、切り離しすることができ、これにより当該洗浄設備６００を持ち運びに便利な携帯型とすることができる。本実施形態においてホースカップリングには、相互に接続されるオス側接続具とメス側接続具を有し、相互に接続するとそれぞれの排水管（本例では、延長ガイド管５５１と給水ホース５６５）が水密に接続され、切り離すとそれぞれの排水管の端部を気密に閉止する機能を有するものであって、ワンタッチで接続、切り離しできるものが用いられている。
【００５０】
上記のホースカップリングを用いることによりこの洗浄設備６００は以下のような形態でも使用することができる。例えば、集合住宅の１フロアごとに携帯型の吸水ポンプ５６０を１台若しくは複数台設置しておき、これを各入居者が必要に応じて１台ずつ台所流し台内の排水トラップ５０１の下流側に接続する構成としてもよい。この構成が図３１に示されている。
図示するように、排水トラップ５０１の下流側に前記と同様Ｙ型継手５０３を介装し、このＹ型継手５０３の枝管部５０３ａにホースカップリング５７０のメス側接続具５７０ａを取り付けておく。これに対して、吸水ポンプ５６０の給水ホース５６５の先端にホースカップリング５７０のオス側接続具５７０ｂを取り付けておく。ホースカップリング５７０のメス側接続具５７０ａにオス側接続具５７０ｂに接続することにより、給水ホース５６５を枝管部５０３ａに水密に接続することができ、これにより排水トラップ５０１の下流側に風呂の残り湯（中水）が給水されて排水管内を洗浄することができる。この構成が請求項２７に記載した発明の実施形態に相当する。
上記したように排水トラップ５０１の下流側の立ち下がり部位に介装したＹ形継手５０３の枝管部５０３ａにホースカップリング５７０のメス側接続具５７０ａを取り付けることによって、オス側接続具５７０ｂを切り離した状態であってもこのメス側接続具５７０ａが気密に閉止されるので排水管内の臭気が外部に洩れ出すことを防止できる。
【００５１】
次に、図３２には、Ｙ型継手５０３の枝管部５０３ａに接続した延長ガイド管５０６の先端にホースカップリング５７０のメス側接続具５７０ａを取り付け、このメス側接続具５７０ａを台所流し台の前壁５１２に配置しておく一方、吸水ポンプ５６０に接続した給水ホース５６５の先端にオス側接続具５７０ｂ（図３２では省略されている）を取り付けておくことにより、延長ガイド管５０６に対する給水ホース５６５の接続、切り離しを簡単に行うことができるようになり、これにより住人等により排水管の洗浄作業を楽に行うことができる。
また、図３３には、同じく台所流し台の前壁５１２にホースカップリング５７０のメス側接続具５７０ａを配置し、このメス側接続具５７０ａと開閉バルブ５５２を延長ガイド管５５１を介して接続した洗浄設備６００が記載されている。
この場合においても、吸水ポンプ５６０の吐出口に接続した給水ホース５６５の先端にホースカップリング５７０のオス側接続具５７０ｂ（図３３では省略されている）が取り付けられている。ホースカップリング５７０のオス側接続具５７０ｂとメス側接続具５７０ａを接続することにより、中水道を開閉バルブ５５２を介して排水トラップ５０１の下流側に給水ホース５６５を簡単に接続することができる。逆に、洗浄作業を行わない場合には、このホースカップリング５７０の接続を切り離すことにより、吸水ポンプ５６０を別の場所に保管しておくことができるので、当該洗浄設備の使い勝手がよくなる。なお、前記したようにホースカップリング５７０を切り離した状態であっても、枝管部５０３ａにメス側接続具５７０ａが取り付けられているので、排水管内の臭気が外部に洩れ出すことはない。
以上説明したホースカップリング接続方式の洗浄設備（図３２および図３３に示した洗浄設備６００）が請求項２８に記載した発明の実施形態に相当する。これら２実施形態によれば、ホースカップリング５７０を電気コンセントと同様の感覚で接続、切り離しできるので、住人等によっても排水管の洗浄を簡易かつ確実に行うことができるようになる。
【００５２】
次に、図３１に示した洗浄設備において、Ｙ型継手５０３の枝管部５０３ａにホースカップリング５７０のメス側接続具５７０ａ（若しくはオス側接続具５７０ｂ）を着脱可能に取り付ける構成とすることにより、様々な形態の洗浄を行うことができるようになる。Ｙ型継手５０３の枝管部５０３ａにホースカップリング５７０のメス側接続具５７０ａ（若しくはオス側接続具５７０ｂ）を取り付けた状態としておくことにより給水ホース５６５を介して吸水ポンプ５６０を簡単に接続することができ、これにより中水を利用して排水管の洗浄を簡単に行うことができる。
また、図３４に示すようにＹ型継手５０３の枝管部５０３ａに取り付けたホースカップリング５７０のメス側接続具５７０ａ（若しくはオス側接続具５７０ｂ）を取り外すことにより枝管部５０３ａを開口させることができ、この開口部より前記した前方噴射ノズル付きホース５０を進入させることにより、排水管内を高圧洗浄することができるようになる。この場合には、前記した携帯式洗浄機４００を用いることができる。この携帯式洗浄機４００を用いることにより、排水管内をいわゆる溜め洗い若しくは流し洗いではなく、高圧洗浄により確実に洗浄することができる。なお、高圧洗浄機４００の吸水側のホース端は、例えば浴槽の残り湯に差し込まれており、これにより当該高圧洗浄機４００により排水管内に中水が給水される。
なお、前方噴射ノズル付きホース５０を枝管部５０３ａに直接進入させる構成を例示したが、前記したようにガイド管４０４を用いることにより周囲を汚すことなく洗浄作業を行うことができる。この場合、枝管部５０３ａに予め別の補助ガイド管を接続しておき、これを台所流し台５１０の下方から引き出して作業性のよい広い場所で携帯用洗浄機４００のガイド管４０４と接続し、このガイド管４０４および補助ガイド管内を経て前方噴射ノズル付きホース５０を排水管内に進入させる構成とすることができる。この構成によれば、周囲を汚すことなく洗浄作業を行うことができるとともに、ガイド管４０４の接続作業を台所流し台の下方であって狭いスペースで行う必要がないのでより一層洗浄作業を楽に行うことができる。
【００５３】
また、上記ホースカップリング５７０は、上記継手５０３を用いるのではなく、例えば前記した延長ガイド管８２のガイド配管８５を利用することによっても同様の作用効果を得ることができる（図１０参照）。すなわち、排水トラップ８０の器具排水管部８２のガイド配管８５に、ホースカップリング５７０のメス側接続具５７０ａ若しくはオス側接続具５７０ｂの一方を取り付ける一方、吸水ポンプ５６０の吐出口に接続した給水ホース５６５の先端にホースカップリング５７０のメス側接続具５７０ａ若しくはオス側接続具５７０ｂの他方を取り付けておくことにより、給水ホース５６５をガイド配管８５に簡単に接続することができ、これにより中水を利用して排水管内を簡単に洗浄することができる。
しかも、ガイド配管８５からメス側接続具５７０ａ若しくはオス側接続具５７０ｂの一方を取り外して当該ガイド配管８５を開口することにより、この開口部から前方噴射ノズル付きホース５０を進入させることができ、これにより排水管内を高圧洗浄することができる。この構成が、請求項３１に記載した発明の実施形態に相当する。
【００５４】
以上説明した各実施形態にはさらに変更を加えることができる。例えば、吸水ホース５６３は、上記したように浴槽５６４の残り湯に浸す構成とする他、例えば台所流しに溜めた水に浸し、この水を中水として利用してもよく、またバケツに溜めた水道水に浸して、これを中水として利用してもよい。
このように上水道に直結した配管経路ではなく一旦上水道の蛇口から流れ出た水を溜めて、これを中水（非直結上水）として利用する構成であるので、いわゆるクロスコネクションには該当しない。中水を利用することによって所望の圧力を有する中水を排水管内に直接放水して効率的な流し洗いをすることを目的とする。
また、吸水ポンプ５６０を台所流し台の下方等に設置しておくビルトインタイプとすることができる。また、中水を給水する給水ホース５６５を建物の壁部内に配管する構成とすることができる。
さらに、給水ホース５６５に代えて、洗浄ノズル付きホースを吸水ポンプ５６０の吐出口５６１に接続することにより、当該洗浄設備を中水式の高圧洗浄機に転用することができる。
【００５５】
また、吸水ポンプ５６０にキャスタを取り付けておくことにより、持ち運びの便宜を図ることができる。さらに、吸水ホース５６３、給水ホース５６５の一方または双方を巻き取るためのホースドラムを備え付けておくことにより、当該洗浄設備の取り扱い性をよくすることができ、また小さなスペースにコンパクトに収納しておくことができる。
ディスポーザの下流側に取り付けられたランニングトラップを取り外して下流側の排水管内の洗浄を行うことは可能であるが、流し台の下の狭隘な場所で、その作業を行うことは、手間が嵩むとともに、衛生的でない。ディスポーザのトラップは経年周期、例えば１０年毎に更新するものとして設計されることが望ましい。
【００５６】
【発明の効果】
本発明によると、生活器具に触れることなく排水横枝管等の排水経路の洗浄作業を行うことができるようになり、住人に対して不衛生感を与えることがない。
【図面の簡単な説明】
【図１】本発明の実施形態１に係る排水横枝管洗浄設備の模式図である。
【図２】送り装置の全体斜視図（Ａ図）、Ａ図のＢ矢視拡大図（Ｂ図）及び洗浄ノズル付ホースの外形図（Ｃ図）である。
【図３】排水横枝管洗浄設備の側面図である。
【図４】排水横枝管洗浄設備の正面図である。
【図５】本発明の実施形態２に係る排水横枝管洗浄設備の側面図（Ａ図）、ガイド配管の基端部の変更例を表す断面図（Ｂ図）である。
【図６】排水横枝管洗浄設備の変更例を表す側面図である。
【図７】台所流し台回りの配管側面図である。
【図８】本発明の実施形態３に係る洗浄設備の側面図である。
【図９】排水トラップの縦断面図である。
【図１０】実施形態３におけるガイド配管の位置を変更した洗浄設備の側面図である。
【図１１】シンクポケットが並設された台所流し台の斜視図である。
【図１２】シンクポケットの縦断面図である。
【図１３】ディスポーザを備えない台所流し台の縦断面図である。
【図１４】高層の集合住宅における専用ガイド管の配管状態を示す図である。
【図１５】専用ガイド管を接続するための排水管継手を単独で示した斜視図である。
【図１６】専用ガイド管を接続するための排水管継手であって、図１５とは別形態の排水管継手を単独で示した側面図である。
【図１７】専用ガイド管を接続するための排水管継手であって、図１５、図１６とは別形態の排水管継手を単独で示した側面図である。
【図１８】専用ガイド管を接続するための排水管継手であって、いわゆるアップライト管を用いた排水経路を示す側面図である。
【図１９】排水トラップの上流側である流入脚にガイド配管を設けた洗浄設備における排水トラップ周辺の側面図である。
【図２０】排水トラップの上流側である流入脚にガイド配管を設けた洗浄設備の全体の側面図であって、延長ガイド管の取り回し経路に関して３種類の実施形態を示す図である。
【図２１】排水トラップの上流側である流入側にガイド配管を設けて複数の洗浄口を設定した洗浄設備の全体側面図である。
【図２２】ディスポーザを備えない台所流し台において、いわゆるため洗いを行うための洗浄設備の斜視図である。
【図２３】ディスポーザを備えた台所流し台において、いわゆるため洗いを行うための洗浄設備の側面図である。
【図２４】立て管単独洗浄用の掃除口を備えた洗浄設備の側面図である。
【図２５】ため洗い式と高圧洗浄式を併設した洗浄装置の側面図である。
【図２６】ため洗い式と高圧洗浄式を併用した洗浄方法を示す模式図である。
【図２７】携帯式洗浄機の斜視図である。
【図２８】シンクポケットを利用した流し洗い式の洗浄設備の斜視図である。
【図２９】中水を利用した流し洗い式の洗浄設備の斜視図である。
【図３０】浴槽の残り湯（中水）を利用した流し洗い式の洗浄設備の側面図である。台所流し台のみが斜視図で示されている。
【図３１】浴槽の残り湯（中水）を利用した流し洗い式の洗浄設備の側面図である。台所流し台のみが斜視図で示されている。
【図３２】洗浄管コンセント式かつ中水利用式の洗浄設備の側面図である。台所流し台のみが斜視図で示されている。
【図３３】洗浄管コンセント式かつ中水利用式の洗浄設備の側面図である。台所流し台のみが斜視図で示されている。
【図３４】排水トラップの下流側に携帯式洗浄機を接続して高圧洗浄を行う洗浄設備を示す図である。
【符号の説明】
Ｐ…専用部
Ｃ…共用部
Ｓ…縦壁
ＫＳ…貫通部
２０…流し台（生活器具）
３０…台所流し排水横枝管（排水横枝管）
３４…台所流し排水立て管
４０…ガイド配管
４２…受け口（基端部）
５０…洗浄ノズル付ホース
５４…洗浄ノズル
５５…補助ガイド管
６０…送り装置（送り手段、固定手段）
６２…ハウジング
６４…ドラム
６６…操作ハンドル（回転手段）
７２…ガイド配管
７２ｍ…基端部
８０…排水トラップ
８４…ガイド配管
８６…延長ガイド管
９４…延長ガイド管
ＳＣ…洗浄機
１２０…洗浄ノズル付きホース（立て管用）
１３０…専用ガイド管
１４０，１６０，１７０，１８０…排水管継手（専用ガイド管接続用）
２０１…流入脚
２０２…ガイド配管
２０３，２０４，２０６…延長ガイド管
２０５…排水トラップ
２２０…分岐管
３００…洗浄設備
４００…携帯式洗浄機
５００…洗浄設備（シンクポケット式）
５５０…洗浄設備（中水式）
５６０…吸水ポンプ
６００…洗浄設備（残り湯式）
【図１】
2005029952.tif 000003
【図２】
2005029952.tif 000004
【図３】
2005029952.tif 000005
【図４】
2005029952.tif 000006
【図５】
2005029952.tif 000007
【図６】
2005029952.tif 000008
【図７】
2005029952.tif 000009
【図８】
2005029952.tif 000010
【図９】
2005029952.tif 000011
【図１０】
2005029952.tif 000012
【図１１】
2005029952.tif 000013
【図１２】
2005029952.tif 000014
【図１３】
2005029952.tif 000015
【図１４】
2005029952.tif 000016
【図１５】
2005029952.tif 000017
【図１６】
2005029952.tif 000018
【図１７】
2005029952.tif 000019
【図１８】
2005029952.tif 000020
【図１９】
2005029952.tif 000021
【図２０】
2005029952.tif 000022
【図２１】
2005029952.tif 000023
【図２２】
2005029952.tif 000024
【図２３】
2005029952.tif 000025
【図２４】
2005029952.tif 000026
【図２５】
2005029952.tif 000027
【図２６】
2005029952.tif 000028
【図２７】
2005029952.tif 000029
【図２８】
2005029952.tif 000030
【図２９】
2005029952.tif 000031
【図３０】
2005029952.tif 000032
【図３１】
2005029952.tif 000033
【図３２】
2005029952.tif 000034
【図３３】
2005029952.tif 000035
【図３４】
2005029952.tif 000036